(57)【要約】【課題】実際の表示画面の劣化状況を正しく測定して高精度でホワイトバランスを補正する。【解決手段】画像表示部１と同一工程で製造された同一構造、及び回路２０と同一構成の駆動回路１９を有する測定用表示部３は、通常動作期間においては、画像表示部１の表示画面の平均的な明るさを有する画面を表示する。補正期間において、ＣＰＵ２１は第２レベルの制御信号ＶＣＴ１及びアドレス信号ＶＡを出力し、切換回路１８は回路１６が保有する測定用固定１画面を与えるテストパターン信号Ｖ１６（Ｒ，Ｇ，Ｂ）を通し、その結果、テストパターンが測定用表示部３に表示される。ＣＰＵ２１は、光センサ５によって測定されたテストパターンの明るさ信号Ｖ５（Ｒ，Ｇ，Ｂ）を取得し、表示部３における入出力特性のデータを算出した上で変換テーブルデータＶＣＴ２を生成・出力する。【選択図】　　　　図３
2004146936.tif 000002
【特許請求の範囲】
【請求項１】
３原色に関する入力３原色信号を受信する入力端子と、
前記入力端子に接続された入力端、制御端子及び出力端とを有し、前記入力３原色信号に対してガンマ補正を行い、補正後の被補正３原色信号を前記出力端より出力するガンマ補正回路と、
前記ガンマ補正回路の前記出力端に接続された入力端及び出力端とを有し、前記ガンマ補正回路の前記被補正３原色信号に基づき前記３原色に関する第１駆動信号を生成し、前記第１駆動信号を前記出力端より出力する画像表示部駆動回路と、
前記画像表示部駆動回路の前記出力端に接続された入力端を有し、前記第１駆動信号に基づき、前記入力３原色信号によって与えられる第１画像を表示する画像表示部と、
入力端、前記画像表示部の第１発光特性と同一の第２発光特性及び前記画像表示部の第１経時変化特性と同一の第２経時変化特性を有し、通常動作期間においては第２画像を表示する一方、補正期間においては第３画像を表示する測定用表示部と、
前記ガンマ補正回路の前記出力端に接続された入力端及び出力端を有し、前記ガンマ補正回路の前記被補正３原色信号のそれぞれに対して１画面当りに関する平均化処理を行って、前記入力３原色信号それぞれの平均の明るさを与える被平均化３原色信号を生成し、前記被平均化３原色信号を前記出力端より出力する平均の明るさ算出回路と、
出力端を有し、少なくとも１種類の測定用１画面を与える３原色テストパターン信号を保有すると共に、前記３原色テストパターン信号を前記出力端より出力するテストパターン発生回路と、
前記平均の明るさ算出回路の前記出力端に接続された第１入力端と、前記テストパターン発生回路の前記出力端に接続された第２入力端と、第１制御信号を受信する制御端と、出力端とを有し、前記第１制御信号のレベルに応じて前記第１入力端と前記出力端との第１接続及び前記第２入力端と前記出力端との第２接続とを切り換える切換回路と、
前記切換回路の前記出力端に接続された入力端と、前記測定用表示部の前記入力端に接続された出力端とを有し、前記切換回路の出力信号に基づき前記３原色に関する第２駆動信号を生成し、前記第２駆動信号を前記出力端より出力する測定用表示部駆動回路と、
前記切換回路の前記制御端に接続された出力端を有し、前記通常動作期間においては前記切換回路に対して前記第１接続を指令する第１レベルを有する一方、前記補正期間においては前記切換回路に対して前記第２接続を指令する第２レベルを有する前記第１制御信号を生成し、前記第１制御信号を前記出力端より出力する切換回路制御部と、
前記測定用表示部の表示面に対向配置されており、前記補正期間において前記測定用表示部が表示する、測定用基本パターンである前記第３画像の前記３原色の明るさを検出して、被検出３原色明るさ信号をその出力端より出力する光センサと、
前記光センサの前記出力端に接続された入力端及び前記ガンマ補正回路の前記制御端に接続された出力端を有し、前記測定用表示部駆動回路において前記３原色テストパターン信号より生成される前記第２駆動信号のレベルデータを保有しており、前記レベルデータ及び前記被検出３原色明るさ信号に基づいて、少なくとも前記第１画像のホワイトバランスを補正するために必要な前記第１駆動信号の補正量に相当する変換テーブルデータを生成し、前記変換テーブルデータを第２制御信号として前記出力端より出力するガンマ補正制御部とを備え、
前記ガンマ補正回路は、前記第２制御信号の受信以後、前記第２制御信号が与える前記変換テーブルデータに基づき前記ガンマ補正を行うことを特徴とする、カラーディスプレイ装置。
【請求項２】
請求項１記載のカラーディスプレイ装置であって、
前記ガンマ補正制御部は、
（ａ）　前記レベルデータ及び前記被検出３原色明るさ信号に基づいて、前記３原色に関する、前記第２駆動信号と前記第３画像における明るさとの関係を示す近似曲線を与えるデータを生成する部分と、
（ｂ）　前記第１画像における前記３原色それぞれの明るさの比率を所定の比率とするために必要な、前記３原色の内の基準色に関する前記第１駆動信号の第１レベルに対する他の２色に関する前記第１駆動信号の第２及び第３レベルを与える暫定的変換テーブルデータを、前記近似曲線データに基づいて生成する部分と、
（ｃ）　前記第１駆動信号の前記第１レベルに対して、▲１▼前記基準色に関しては前記第１駆動信号の前記第１レベル自体を前記第１駆動信号の第１補正レベルとして与え、▲２▼前記他の２色の一方に関しては前記第１駆動信号の前記第１レベルと前記第２レベルとで規定され且つ前記第１及び第２レベルを除く範囲内のレベルを前記第１駆動信号の第２補正レベルとして与え、且つ、▲３▼前記他の２色の他方に関しては前記第１駆動信号の前記第１レベルと前記第３レベルとで規定され且つ前記第１及び第３レベルを除く範囲内のレベルを前記第１駆動信号の第３補正レベルとして与える制限補正テーブルデータに基づき、前記変換テーブルデータを決定する部分とを更に有することを特徴とする、
カラーディスプレイ装置。
【請求項３】
請求項１記載のカラーディスプレイ装置であって、
前記カラーディスプレイ装置の工場出荷時からの経過時間を計測するタイマを更に備えており、
前記ガンマ補正制御部は、
前記経過時間に対する第１補正係数及び第２補正係数を与える補正係数テーブルデータを記憶する部分を更に有しており、
前記補正係数テーブルデータは、測定系の経時変化特性に基づき定められており、
前記測定系は、前記テストパターン発生回路、前記テストパターン発生回路の前記出力端と前記切替回路の前記第２入力端とを互いに接続する配線、前記切替回路、前記切替回路の前記出力端と前記測定用表示部駆動回路の前記入力端とを互いに接続する配線、前記測定用表示部駆動回路、前記測定用表示部駆動回路の前記出力端と前記測定用表示部の前記入力端とを互いに接続する配線、前記測定用表示部、前記光センサ、及び前記光センサの前記出力端と前記ガンマ補正制御部の前記入力端とを互いに接続する配線から構成されており、
前記ガンマ補正制御部は、
（ａ）　前記レベルデータ及び前記被検出３原色明るさ信号に基づいて、前記３原色に関する、前記第２駆動信号と前記第３画像における明るさとの関係を示す近似曲線を与えるデータを生成する部分と、
（ｂ）　前記第１画像における前記３原色それぞれの明るさの比率を所定の比率とするために必要な、前記３原色の内の基準色に関する前記第１駆動信号の第１レベルに対する他の２色に関する前記第１駆動信号の第２及び第３レベルを与える暫定的変換テーブルデータを、前記近似曲線データに基づいて生成する部分と、
（ｃ）　前記タイマの計測結果に応じて前記補正期間の開始時に対応する現経過時間を求めて、当該現経過時間における前記第１及び第２補正係数の値を前記補正係数テーブルデータより読み取る部分と、
（ｄ）　前記第１駆動信号の前記第１レベルに対して、▲１▼前記基準色に関しては前記第１駆動信号の前記第１レベル自体を前記第１駆動信号の第１補正レベルとして与え、▲２▼前記他の２色の一方に関しては、前記第１補正係数を用いた第１制限処理を前記第１駆動信号の前記第２レベルに実行して得られる第１制限レベルを前記第１駆動信号の第２補正レベルとして与え、且つ、▲３▼前記他の２色の他方に関しては、前記第２補正係数を用いた第２制限処理を前記第１駆動信号の前記第３レベルに実行して得られる第２制限レベルを前記第１駆動信号の第３補正レベルとして与える制限補正テーブルデータを生成する部分と、
（ｅ）　前記制限補正テーブルデータに基づき、前記変換テーブルデータを決定する部分とを更に有することを特徴とする、
カラーディスプレイ装置。
【請求項４】
請求項１記載のカラーディスプレイ装置であって、
前記カラーディスプレイ装置の工場出荷時からの経過時間を計測するタイマを更に備えており、
前記補正期間は、少なくとも、先行する第１補正期間と、前記第１補正期間よりも遅い第２補正期間とを含み、
前記ガンマ補正制御部は、
少なくとも、前記第１補正期間の開始時に相当する第１経過時間に対する第１補正係数及び第２補正係数と、前記第２補正期間の開始時に相当する第２経過時間に対する第１補正係数及び第２補正係数とを与える補正係数テーブルデータを記憶する部分を更に有しており、
前記補正係数テーブルデータは、測定系の経時変化特性に基づき定められており、
前記測定系は、前記テストパターン発生回路、前記テストパターン発生回路の前記出力端と前記切替回路の前記第２入力端とを互いに接続する配線、前記切替回路、前記切替回路の前記出力端と前記測定用表示部駆動回路の前記入力端とを互いに接続する配線、前記測定用表示部駆動回路、前記測定用表示部駆動回路の前記出力端と前記測定用表示部の前記入力端とを互いに接続する配線、前記測定用表示部、前記光センサ、及び前記光センサの前記出力端と前記ガンマ補正制御部の前記入力端とを互いに接続する配線から構成されており、
前記ガンマ補正制御部は、
（ａ）　前記第１及び第２補正期間の各々において得られる前記被検出３原色明るさ信号を受信する毎に、前記レベルデータ及び前記被検出３原色明るさ信号に基づいて、前記３原色に関する、前記第２駆動信号と前記第３画像における明るさとの関係を示す近似曲線を与えるデータを生成する部分と、
（ｂ）　前記第１及び第２補正期間の各々に対応する前記近似曲線データの生成毎に、前記第１画像における前記３原色それぞれの明るさの比率を所定の比率とするために必要な、前記３原色の内の基準色に関する前記第１駆動信号の第１レベルに対する他の２色に関する前記第１駆動信号の第２及び第３レベルを与える暫定的変換テーブルデータを、前記近似曲線データに基づいて生成する部分と、
（ｃ）　前記タイマの計測結果に応じて、前記第１経過時間に対する前記第１及び第２補正係数と、前記第２経過時間に対する前記第１及び第２補正係数とを、それぞれ前記第１及び第２経過時間において前記補正係数テーブルデータより読み取る部分と、
（ｄ）　前記第１及び第２補正期間の各々に対応する前記暫定的変換テーブルデータの生成毎に、前記第１駆動信号の前記第１レベルに対して、▲１▼前記基準色に関しては前記第１駆動信号の前記第１レベル自体を前記第１駆動信号の第１補正レベルとして与え、▲２▼前記他の２色の一方に関しては、前記第１補正係数を用いた第１制限処理を前記第１駆動信号の前記第２レベルに実行して得られる第１制限レベルを前記第１駆動信号の第２補正レベルとして与え、且つ、▲３▼前記他の２色の他方に関しては、前記第２補正係数を用いた第２制限処理を前記第１駆動信号の前記第３レベルに実行して得られる第２制限レベルを前記第１駆動信号の第３補正レベルとして与える制限補正テーブルデータを生成する部分と、
（ｅ）　前記第１及び第２補正期間の各々に対応する前記制限補正テーブルデータの生成毎に、前記制限補正テーブルデータに基づき、前記変換テーブルデータを決定する部分と、
（ｆ）　前記第１及び第２補正期間の各々に対応する前記変換テーブルデータの生成毎に、前記変換テーブルデータを前記第２制御信号として前記出力端より出力する部分とを更に有することを特徴とする、
カラーディスプレイ装置。
【請求項５】
請求項１記載のカラーディスプレイ装置であって、
前記カラーディスプレイ装置の工場出荷時からの経過時間を計測するタイマを更に備えており、
前記補正期間は、少なくとも、先行する第１補正期間と、前記第１補正期間よりも遅い第２補正期間とを含み、
前記ガンマ補正制御部は、
前記第１補正期間の開始時に相当する第１経過時間に対する第１補正係数及び第２補正係数を与える補正係数テーブルデータを記憶する部分を更に有しており、
前記補正係数テーブルデータは、測定系の経時変化特性に基づき定められており、
前記測定系は、前記テストパターン発生回路、前記テストパターン発生回路の前記出力端と前記切替回路の前記第２入力端とを互いに接続する配線、前記切替回路、前記切替回路の前記出力端と前記測定用表示部駆動回路の前記入力端とを互いに接続する配線、前記測定用表示部駆動回路、前記測定用表示部駆動回路の前記出力端と前記測定用表示部の前記入力端とを互いに接続する配線、前記測定用表示部、前記光センサ、及び前記光センサの前記出力端と前記ガンマ補正制御部の前記入力端とを互いに接続する配線から構成されており、
前記ガンマ補正制御部は、
（ａ）　前記第１補正期間において得られる前記被検出３原色明るさ信号の受信に応じて、前記レベルデータ及び前記被検出３原色明るさ信号に基づいて、前記３原色に関する、前記第２駆動信号と前記第３画像における明るさとの関係を示す近似曲線を与えるデータを生成する部分と、
（ｂ）　前記第１補正期間に対応する前記近似曲線データの生成に応じて、前記第１画像における前記３原色それぞれの明るさの比率を所定の比率とするために必要な、前記３原色の内の基準色に関する前記第１駆動信号の第１レベルに対する他の２色に関する前記第１駆動信号の第２及び第３レベルを与える暫定的変換テーブルデータを、前記近似曲線データに基づいて生成する部分と、
（ｃ）　前記タイマの計測結果に応じて、前記第１経過時間に対する前記第１及び第２補正係数を、前記第１経過時間において前記補正係数テーブルデータより読み取ると共に、前記第１補正係数よりも小さい値を有する第１先行補正係数と、前記第２補正係数よりも小さい値を有する第２先行補正係数とを生成する部分と、
（ｄ−１）　前記第１駆動信号の前記第１レベルに対して、▲１▼前記基準色に関しては前記第１駆動信号の前記第１レベル自体を前記第１駆動信号の第１補正レベルとして与え、▲２▼前記他の２色の一方に関しては、前記第１先行補正係数を用いた第１先行制限処理を前記第１駆動信号の前記第２レベルに実行して得られる第１先行制限レベルを前記第１駆動信号の第２先行補正レベルとして与え、且つ、▲３▼前記他の２色の他方に関しては、前記第２先行補正係数を用いた第２先行制限処理を前記第１駆動信号の前記第３レベルに実行して得られる第２先行制限レベルを前記第１駆動信号の第３先行補正レベルとして与える先行制限補正テーブルデータを生成する部分と、
（ｅ−１）　前記先行制限補正テーブルデータに基づき前記先行変換テーブルデータを決定し、前記先行変換テーブルデータを前記第２制御信号として前記出力端より出力する部分と、
（ｄ−２）　前記先行変換テーブルデータの出力後であって且つ前記第２補正期間の到来前の時点において、前記第１駆動信号の前記第１レベルに対して、▲１▼前記基準色に関しては前記第１駆動信号の前記第１レベル自体を前記第１駆動信号の第１補正レベルとして与え、▲２▼前記他の２色の一方に関しては、前記第１補正係数を用いた第１制限処理を前記第１駆動信号の前記第２レベルに実行して得られる第１制限レベルを前記第１駆動信号の第２補正レベルとして与え、且つ、▲３▼前記他の２色の他方に関しては、前記第２補正係数を用いた第２制限処理を前記第１駆動信号の前記第３レベルに実行して得られる第２制限レベルを前記第１駆動信号の第３補正レベルとして与える制限補正テーブルデータを生成する部分と、
（ｅ−２）　前記第２補正期間の到来前において、前記制限補正テーブルデータに基づき前記変換テーブルデータを決定し、前記変換テーブルデータを前記第２制御信号として前記出力端より出力する部分とを更に有することを特徴とする、
カラーディスプレイ装置。
【請求項６】
請求項１記載のカラーディスプレイ装置であって、
前記ガンマ補正制御部は、
前記第１画像の前記ホワイトバランス及び輝度の調整が完了している工場出荷時における、前記第１駆動信号に対する３原色それぞれの明るさを与える工場出荷時テーブルデータを記憶する部分と、
前記工場出荷時テーブルデータ、前記レベルデータ及び前記被検出３原色明るさ信号に基づいて、前記補正期間における前記第１画像の前記ホワイトバランス及び前記輝度がそれぞれ前記工場出荷時における前記第１画像の前記ホワイトバランス及び前記輝度に等しくなる様に、前記変換テーブルデータを生成する部分とを更に有することを特徴とする、
カラーディスプレイ装置。
【請求項７】
請求項６記載のカラーディスプレイ装置であって、
前記ガンマ補正制御部は、
（ａ）　前記レベルデータ及び前記被検出３原色明るさ信号に基づいて、前記３原色に関する、前記第２駆動信号と前記第３画像における明るさとの関係を示す近似曲線を与えるデータを生成する部分と、
（ｂ）　前記補正期間における前記第１画像の前記ホワイトバランス及び前記輝度をそれぞれ前記工場出荷時における前記第１画像の前記ホワイトバランス及び前記輝度に等しくするために必要な、前記３原色の第１、第２及び第３色に関する前記第１駆動信号の第１、第２及び第３レベルに対する第１、第２及び第３補正レベルを与える暫定的変換テーブルデータを、前記工場出荷時テーブルデータ及び前記近似曲線データに基づいて生成する部分と、
（ｃ）　▲１▼前記第１色に関しては、前記工場出荷時における前記第１駆動信号の前記第１レベルと前記第１補正レベルとで規定され且つ前記工場出荷時における前記第１レベル及び前記第１補正レベルを除く範囲内のレベルを、前記第１駆動信号の前記第１レベルに対する、前記第１駆動信号の第１制限補正レベルとして与え、▲２▼前記第２色に関しては、前記工場出荷時における前記第１駆動信号の前記第２レベルと前記第２補正レベルとで規定され且つ前記工場出荷時における前記第２レベル及び前記第２補正レベルを除く範囲内のレベルを、前記第１駆動信号の前記第２レベルに対する、前記第１駆動信号の第２制限補正レベルとして与え、且つ、▲３▼前記第３色に関しては、前記工場出荷時における前記第１駆動信号の前記第３レベルと前記第３補正レベルとで規定され且つ前記工場出荷時における前記第３レベル及び前記第３補正レベルを除く範囲内のレベルを、前記第１駆動信号の前記第３レベルに対する、前記第１駆動信号の第３制限補正レベルとして与える制限補正テーブルデータを生成する部分と、
（ｄ）　前記制限補正テーブルデータに基づき前記変換テーブルデータを決定する部分とを更に有することを特徴とする、
カラーディスプレイ装置。
【請求項８】
請求項６記載のカラーディスプレイ装置であって、
前記カラーディスプレイ装置の工場出荷時からの経過時間を計測するタイマを更に備えており、
前記ガンマ補正制御部は、
前記経過時間に対する、前記３原色の第１、第２及び第３色に関する第１、第２及び第３補正係数を与える補正係数テーブルデータを記憶する部分を更に有しており、
前記補正係数テーブルデータは、測定系の軽時変化特性に基づき定められており、
前記測定系は、前記テストパターン発生回路、前記テストパターン発生回路の前記出力端と前記切替回路の前記第２入力端とを互いに接続する配線、前記切替回路、前記切替回路の前記出力端と前記測定用表示部駆動回路の前記入力端とを互いに接続する配線、前記測定用表示部駆動回路、前記測定用表示部駆動回路の前記出力端と前記測定用表示部の前記入力端とを互いに接続する配線、前記測定用表示部、前記光センサ、及び前記光センサの前記出力端と前記ガンマ補正制御部の前記入力端とを互いに接続する配線から構成されており、
前記ガンマ補正制御部は、
（ａ）　前記レベルデータ及び前記被検出３原色明るさ信号に基づいて、前記３原色に関する、前記第２駆動信号と前記第３画像における明るさとの関係を示す近似曲線を与えるデータを生成する部分と、
（ｂ）　前記補正期間における前記第１画像の前記ホワイトバランス及び前記輝度をそれぞれ前記工場出荷時における前記第１画像の前記ホワイトバランス及び前記輝度に等しくするために必要な、前記３原色の前記第１、第２及び第３色に関する前記第１駆動信号の第１、第２及び第３レベルに対する第１、第２及び第３補正レベルを与える暫定的変換テーブルデータを、前記工場出荷時テーブルデータ及び前記近似曲線データに基づいて生成する部分と、
（ｃ）　前記タイマの計測結果に応じて前記補正期間の開始時に対応する現経過時間を求めて、当該現経過時間における前記第１、第２及び第３補正係数の値を前記補正係数テーブルデータより読み取る部分と、
（ｄ）　▲１▼前記第１色に関しては、前記第１補正係数を用いた第１制限処理を前記第１駆動信号の前記第１レベルに実行して得られる第１制限レベルを、前記第１駆動信号の前記第１レベルに対する、前記第１駆動信号の第１制限補正レベルとして与え、▲２▼前記第２色に関しては、前記第２補正係数を用いた第２制限処理を前記第１駆動信号の前記第２レベルに実行して得られる第２制限レベルを、前記第１駆動信号の前記第２レベルに対する、前記第１駆動信号の第２制限補正レベルとして与え、且つ、▲３▼前記第３色に関しては、前記第３補正係数を用いた第３制限処理を前記第１駆動信号の前記第３レベルに実行して得られる第３制限レベルを、前記第１駆動信号の前記第３レベルに対する、前記第１駆動信号の第３制限補正レベルとして与える制限補正テーブルデータを生成する部分と、
（ｅ）　前記制限補正テーブルデータに基づき前記変換テーブルデータを決定する部分とを更に有することを特徴とする、
カラーディスプレイ装置。
【請求項９】
請求項６記載のカラーディスプレイ装置であって、
前記カラーディスプレイ装置の工場出荷時からの経過時間を計測するタイマを更に備えており、
前記補正期間は、少なくとも、先行する第１補正期間と、前記第１補正期間よりも遅い第２補正期間とを含み、
前記ガンマ補正制御部は、
少なくとも、前記第１補正期間の開始時に相当する第１経過時間に対する第１補正係数、第２補正係数及び第３補正係数と、前記第２補正期間の開始時に相当する第２経過時間に対する第１補正係数、第２補正係数及び第３補正係数とを与える補正係数テーブルデータを記憶する部分を更に有しており、
前記補正係数テーブルデータは、測定系の経時変化特性に基づき定められており、
前記測定系は、前記テストパターン発生回路、前記テストパターン発生回路の前記出力端と前記切替回路の前記第２入力端とを互いに接続する配線、前記切替回路、前記切替回路の前記出力端と前記測定用表示部駆動回路の前記入力端とを互いに接続する配線、前記測定用表示部駆動回路、前記測定用表示部駆動回路の前記出力端と前記測定用表示部の前記入力端とを互いに接続する配線、前記測定用表示部、前記光センサ、及び前記光センサの前記出力端と前記ガンマ補正制御部の前記入力端とを互いに接続する配線から構成されており、
前記ガンマ補正制御部は、
（ａ）　前記第１及び第２補正期間の各々において得られる前記被検出３原色明るさ信号を受信する毎に、前記レベルデータ及び前記被検出３原色明るさ信号に基づいて、前記３原色に関する、前記第２駆動信号と前記第３画像における明るさとの関係を示す近似曲線を与えるデータを生成する部分と、
（ｂ）　前記第１及び第２補正期間の各々に対応する前記近似曲線データの生成毎に、前記第１及び第２補正期間の内の当該補正期間における前記第１画像の前記ホワイトバランス及び前記輝度をそれぞれ前記工場出荷時における前記第１画像の前記ホワイトバランス及び前記輝度に等しくするために必要な、前記３原色の前記第１、第２及び第３色に関する前記第１駆動信号の第１、第２及び第３レベルに対する第１、第２及び第３補正レベルを与える暫定的変換テーブルデータを、前記近似曲線データ及び前記工場出荷時テーブルデータに基づいて生成する部分と、
（ｃ）　前記タイマの計測結果に応じて、前記第１経過時間に対する前記第１第２及び第３補正係数と、前記第２経過時間に対する前記第１、第２及び第３補正係数とを、それぞれ前記第１及び第２経過時間において前記補正係数テーブルデータより読み取る部分と、
（ｄ）　前記第１及び第２補正期間の各々に対応する前記暫定的変換テーブルデータの生成毎に、▲１▼前記第１色に関しては、前記第１補正係数を用いた第１制限処理を前記第１駆動信号の前記第１レベルに実行して得られる第１制限レベルを、前記第１駆動信号の前記第１レベルに対する、前記第１駆動信号の第１制限補正レベルとして与え、▲２▼前記第２色に関しては、前記第２補正係数を用いた第２制限処理を前記第１駆動信号の前記第２レベルに実行して得られる第２制限レベルを、前記第１駆動信号の前記第２レベルに対する、前記第１駆動信号の第２制限補正レベルとして与え、且つ、▲３▼前記第３色に関しては、前記第３補正係数を用いた第３制限処理を前記第１駆動信号の前記第３レベルに実行して得られる第３制限レベルを、前記第１駆動信号の前記第３レベルに対する、前記第１駆動信号の第３制限補正レベルとして与える制限補正テーブルデータを生成する部分と、
（ｅ）　前記第１及び第２補正期間の各々に対応する前記制限補正テーブルデータの生成毎に、前記制限補正テーブルデータに基づき、前記変換テーブルデータを決定する部分と、
（ｆ）　前記第１及び第２補正期間の各々に対応する前記変換テーブルデータの生成毎に、前記変換テーブルデータを前記第２制御信号として前記出力端より出力する部分とを更に有することを特徴とする、
カラーディスプレイ装置。
【請求項１０】
請求項６記載のカラーディスプレイ装置であって、
前記カラーディスプレイ装置の工場出荷時からの経過時間を計測するタイマを更に備えており、
前記補正期間は、少なくとも、先行する第１補正期間と、前記第１補正期間よりも遅い第２補正期間とを含み、
前記ガンマ補正制御部は、
前記第１補正期間の開始時に相当する第１経過時間に対する第１補正係数、第２補正係数及び第３補正係数を与える補正係数テーブルデータを記憶する部分を更に有しており、
前記補正係数テーブルデータは、測定系の経時変化特性に基づき定められており、
前記測定系は、前記テストパターン発生回路、前記テストパターン発生回路の前記出力端と前記切替回路の前記第２入力端とを互いに接続する配線、前記切替回路、前記切替回路の前記出力端と前記測定用表示部駆動回路の前記入力端とを互いに接続する配線、前記測定用表示部駆動回路、前記測定用表示部駆動回路の前記出力端と前記測定用表示部の前記入力端とを互いに接続する配線、前記測定用表示部、前記光センサ、及び前記光センサの前記出力端と前記ガンマ補正制御部の前記入力端とを互いに接続する配線から構成されており、
前記ガンマ補正制御部は、
（ａ）　前記第１補正期間において得られる前記被検出３原色明るさ信号の受信に応じて、前記レベルデータ及び前記被検出３原色明るさ信号に基づいて、前記３原色に関する、前記第２駆動信号と前記第３画像における明るさとの関係を示す近似曲線を与えるデータを生成する部分と、
（ｂ）　前記第１補正期間に対応する前記近似曲線データの生成に応じて、前記第１補正期間における前記第１画像の前記ホワイトバランス及び前記輝度をそれぞれ前記工場出荷時における前記第１画像の前記ホワイトバランス及び前記輝度に等しくするために必要な、前記３原色の前記第１、第２及び第３色に関する前記第１駆動信号の第１、第２及び第３レベルに対する第１、第２及び第３補正レベルを与える暫定的変換テーブルデータを、前記工場出荷時テーブルデータ及び前記近似曲線データに基づいて生成する部分と、
（ｃ）　前記タイマの計測結果に応じて、前記第１経過時間に対する前記第１第２及び第３補正係数を、前記第１経過時間において前記補正係数テーブルデータより読み取ると共に、前記第１補正係数よりも小さい値を有する第１先行補正係数と、前記第２補正係数よりも小さい値を有する第２先行補正係数と、前記第３補正係数よりも小さい値を有する第３先行補正係数と、を生成する部分と、
（ｄ−１）　▲１▼前記第１色に関しては、前記第１先行補正係数を用いた第１先行制限処理を前記第１駆動信号の前記第１レベルに実行して得られる第１先行制限レベルを、前記第１駆動信号の前記第１レベルに対する、前記第１駆動信号の第１先行制限補正レベルとして与え、▲２▼前記第２色に関しては、前記第２先行補正係数を用いた第２先行制限処理を前記第１駆動信号の前記第２レベルに実行して得られる第２先行制限レベルを、前記第１駆動信号の前記第２レベルに対する、前記第１駆動信号の第２先行制限補正レベルとして与え、且つ、▲３▼前記第３色に関しては、前記第３先行補正係数を用いた第３先行制限処理を前記第１駆動信号の前記第３レベルに実行して得られる第３先行制限レベルを、前記第１駆動信号の前記第３レベルに対する、前記第１駆動信号の第３先行制限補正レベルとして与える先行制限補正テーブルデータを生成する部分と、
（ｅ−１）　前記先行制限補正テーブルデータに基づき前記先行変換テーブルデータを決定し、前記先行変換テーブルデータを前記第２制御信号として前記出力端より出力する部分と、
（ｄ−２）　前記先行変換テーブルデータの出力後であって且つ前記第２補正期間の到来前の時点において、▲１▼前記第１色に関しては、前記第１補正係数を用いた第１制限処理を前記第１駆動信号の前記第１レベルに実行して得られる第１制限レベルを、前記第１駆動信号の前記第１レベルに対する、前記第１駆動信号の第１制限補正レベルとして与え、▲２▼前記第２色に関しては、前記第２補正係数を用いた第２制限処理を前記第１駆動信号の前記第２レベルに実行して得られる第２制限レベルを、前記第１駆動信号の前記第２レベルに対する、前記第１駆動信号の第２制限補正レベルとして与え、且つ、▲３▼前記第３色に関しては、前記第３補正係数を用いた第３制限処理を前記第１駆動信号の前記第３レベルに実行して得られる第３制限レベルを、前記第１駆動信号の前記第３レベルに対する、前記第１駆動信号の第３制限補正レベルとして与える制限補正テーブルデータを生成する部分と、
（ｅ−２）　前記第２補正期間の到来前において、前記制限補正テーブルデータに基づき前記変換テーブルデータを決定し、前記変換テーブルデータを前記第２制御信号として前記出力端より出力する部分とを更に有することを特徴とする、
カラーディスプレイ装置。
【発明の詳細な説明】
【０００１】
【発明の属する技術分野】
この発明は、自発光素子を用いたカラーディスプレイ装置（例えば、プラズマディスプレイ装置、ＣＲＴディスプレイ装置、無機又は有機ＥＬディスプレイ装置）に関するものであり、特に良好な画像を得るための輝度及びホワイトバランスの補正技術に属する。
【０００２】
【従来の技術】
カラーディスプレイ装置においては、ディスプレイパネル内のＲ（赤色）、Ｇ（緑色）、Ｂ（青色）各画素要素が有する発光特性のばらつきにより、ホワイトバランスがばらつくため、工場出荷時においてホワイトバランス調整が行われている。
【０００３】
しかしながら、ホワイトバランス調整の終了後に、経時変化によりディスプレイパネルの発光部自体（ＣＲＴパネルあるいはプラズマディスプレイパネルでは蛍光体自体、ＥＬディスプレイパネルではＥＬ素子自体）が劣化すると、ホワイトバランスのずれ及び輝度の低下が生じると言う問題点がある。
【０００４】
従来のプラズマディスプレイ装置においては、本問題点を解決する方法として、プラズマディスプレイパネル内に光センサを設け、予備放電電極の発光を上記光センサで測定することによりホワイトバランスを補正する方法が、提案されている（例えば、特許文献１参照）。しかしながら、本方法においては、予備放電電極の発光を利用しており、光センサ出力から得られる情報が表示画面の劣化状況を反映していない場合があり、そのため補正が十分でないと言う問題点が生じ得る。
【０００５】
又、従来のプロジェクションテレビにおける表示装置は、オーバースキャン部分を測定している（例えば、特許文献２参照）。しかしながら、本方法においては、オーバースキャン部分の表示から得られる情報が表示画面の劣化状況を反映していない場合があり、そのため補正が十分でないと言う同様な問題点が生じ得る。
【０００６】
このため、両特許文献１，２に提案された従来技術は何れも本問題点の有効な解決策とは成り得ないのである。
【０００７】
【特許文献１】
特開平８−９４１５号公報（第２−４頁、第２図）
【特許文献２】
特開平９−３７２８１号公報（第２−３頁、第１図）
【０００８】
【発明が解決しようとする課題】
上記の通り、自発光素子を用いた従来のカラーディスプレイ装置においては、経時変化によりディスプレイパネル内の蛍光体自体が劣化すると、ホワイトバランスのずれ及び輝度の低下が生じると言う問題点が、存在している。しかも、既述の従来技術は、表示装置の輝度低下を測定するに際して、表示画面の経時劣化の状況を正しく測定出来ていないと言う問題点を有している。
【０００９】
この発明は、斯かる懸案事項を解消するためになされたものであり、その主たる目的は、経時変化による表示画面の劣化を考慮に入れた上で、ホワイトバランスの良好な画像を得ることが出来る補正技術を提供することにある。更に、本発明の副次的目的は、経時変化による表示画面の劣化を考慮に入れた上で、輝度及びホワイトバランスの良好な画像を得ることが出来る補正技術を提供することにある。
【００１０】
【課題を解決するための手段】
この発明に係るカラーディスプレイ装置は、３原色に関する入力３原色信号を受信する入力端子と、前記入力端子に接続された入力端、制御端子及び出力端とを有し、前記入力３原色信号に対してガンマ補正を行い、補正後の被補正３原色信号を前記出力端より出力するガンマ補正回路と、前記ガンマ補正回路の前記出力端に接続された入力端及び出力端とを有し、前記ガンマ補正回路の前記被補正３原色信号に基づき前記３原色に関する第１駆動信号を生成し、前記第１駆動信号を前記出力端より出力する画像表示部駆動回路と、前記画像表示部駆動回路の前記出力端に接続された入力端を有し、前記第１駆動信号に基づき、前記入力３原色信号によって与えられる第１画像を表示する画像表示部と、入力端、前記画像表示部の第１発光特性と同一の第２発光特性及び前記画像表示部の第１経時変化特性と同一の第２経時変化特性を有し、通常動作期間においては第２画像を表示する一方、補正期間においては第３画像を表示する測定用表示部と、前記ガンマ補正回路の前記出力端に接続された入力端及び出力端を有し、前記ガンマ補正回路の前記被補正３原色信号のそれぞれに対して１画面当りに関する平均化処理を行って、前記入力３原色信号それぞれの平均の明るさを与える被平均化３原色信号を生成し、前記被平均化３原色信号を前記出力端より出力する平均の明るさ算出回路と、出力端を有し、少なくとも１種類の測定用１画面を与える３原色テストパターン信号を保有すると共に、前記３原色テストパターン信号を前記出力端より出力するテストパターン発生回路と、前記平均の明るさ算出回路の前記出力端に接続された第１入力端と、前記テストパターン発生回路の前記出力端に接続された第２入力端と、第１制御信号を受信する制御端と、出力端とを有し、前記第１制御信号のレベルに応じて前記第１入力端と前記出力端との第１接続及び前記第２入力端と前記出力端との第２接続とを切り換える切換回路と、前記切換回路の前記出力端に接続された入力端と、前記測定用表示部の前記入力端に接続された出力端とを有し、前記切換回路の出力信号に基づき前記３原色に関する第２駆動信号を生成し、前記第２駆動信号を前記出力端より出力する測定用表示部駆動回路と、前記切換回路の前記制御端に接続された出力端を有し、前記通常動作期間においては前記切換回路に対して前記第１接続を指令する第１レベルを有する一方、前記補正期間においては前記切換回路に対して前記第２接続を指令する第２レベルを有する前記第１制御信号を生成し、前記第１制御信号を前記出力端より出力する切換回路制御部と、前記測定用表示部の表示面に対向配置されており、前記補正期間において前記測定用表示部が表示する、測定用基本パターンである前記第３画像の前記３原色の明るさを検出して、被検出３原色明るさ信号をその出力端より出力する光センサと、前記光センサの前記出力端に接続された入力端及び前記ガンマ補正回路の前記制御端に接続された出力端を有し、前記測定用表示部駆動回路において前記３原色テストパターン信号より生成される前記第２駆動信号のレベルデータを保有しており、前記レベルデータ及び前記被検出３原色明るさ信号に基づいて、少なくとも前記第１画像のホワイトバランスを補正するために必要な前記第１駆動信号の補正量に相当する変換テーブルデータを生成し、前記変換テーブルデータを第２制御信号として前記出力端より出力するガンマ補正制御部とを備え、前記ガンマ補正回路は、前記第２制御信号の受信以後、前記第２制御信号が与える前記変換テーブルデータに基づき前記ガンマ補正を行うことを特徴とする。
【００１１】
【発明の実施の形態】
（実施の形態１）
本実施の形態においては、便宜上、自発光素子を有するカラーディスプレイ装置の一例として、プラズマディスプレイ装置が採用されている。以下、図面に基づき、本実施の形態を詳述する。
【００１２】
図１は、本実施の形態に係るプラズマディスプレイ装置のプラズマディスプレイパネル（以下、ＰＤＰと称す：ディスプレイパネルに該当）を前面ないしは表示面側から眺めた際の平面図である。図１に示す様に、ＰＤＰのパネル中央部には画像表示部１が配設されており、同部１の周辺領域は、画像を表示しない表示パネル周辺部２を成す。但し、図１の紙面上方から見て表示パネル周辺部２内の右側領域には、測定用表示部３が配設されている。そして、画像表示部１と測定用表示部３とは、共に同一工程で製造されており、しかも、同一構造を有する。加えて、両表示部１，３の駆動回路（後述する図３の回路１９，２０）もまた、同一の回路構成を備えている。そのため、画像表示部１の発光特性は測定用表示部３のそれと同一であり、且つ、画像表示部１の経時変化特性もまた測定用表示部３のそれと同一である。尚、ここで「同一」と言うときには、「略同一」と言う概念もそこに含まれるのであり、その意味では、「同一」と言う用語は、ある程度の許容幅（広がり）を持った概念である。
【００１３】
図２は、図１に示すＰＤＰを有するプラズマディスプレイ装置において、当該ＰＤＰをその上部から（図１に示す矢印方向Ａ１から）眺めた際の透視平面図である。図２においては、図１に示す構成要素に相当する部分には、同一の符号が付されている。図２に示されている様に、ＰＤＰの本体を成す表示パネル４の表示面４Ｓ側には、画像表示部１と測定用表示部３とが形成されており、測定用表示部３の前面ないしは表示面３Ｓ上に、光センサ５が対向配置されている。しかも、光センサ５の周囲を完全に取り囲む様に、遮光カバー６が表示面３Ｓの周囲上に配置されている。この構造により、測定用表示部３から発せられる光は遮光カバー６によって遮光され、外部に漏れることはない。
【００１４】
図３は、本実施の形態１に係るプラズマディスプレイ装置の回路構成を模式的に示すブロック図である。図３においても、図１及び図２に示す構成要素に相当する部分には、同一の符号が付されている。
【００１５】
図３に示されている様に、Ｒ信号入力端子１０はＲ（赤色）信号ＶＲを受信し、Ｇ信号入力端子１１はＧ（緑色）信号ＶＧを受信し、Ｂ信号入力端子１２はＢ（青色）信号ＶＢを受信する。ここでは、上記入力信号ＶＲ、ＶＧ及びＶＢを、Ｒ（赤色）、Ｇ（緑色）及びＢ（青色）から成る３原色の「入力３原色信号」と総称すると共に、３つの入力端子１０，１１，１２もまた「入力端子」と総称する。
【００１６】
又、Ｒガンマ補正回路１３は、Ｒ信号入力端子１０に接続された入力端、ＣＰＵ２１の出力端２１ＯＴに接続されており第２制御信号ＶＣＴ２を受信するための制御端子、及び出力端とを有し、Ｒ信号ＶＲに対して既知のガンマ補正を行い、補正後のＲ信号（被補正Ｒ信号）Ｖ１３Ｒをその出力端より出力する。同じく、Ｇガンマ補正回路１４は、Ｇ信号入力端子１１に接続された入力端、ＣＰＵ２１の出力端２１ＯＴに接続されており第２制御信号ＶＣＴ２を受信するための制御端子、及び出力端とを有し、Ｇ信号ＶＧに対して既知のガンマ補正を行い、補正後のＧ信号（被補正Ｇ信号）Ｖ１４Ｇをその出力端より出力する。同様に、Ｂガンマ補正回路１５は、Ｂ信号入力端子１２に接続された入力端、ＣＰＵ２１の出力端２１ＯＴに接続されており第２制御信号ＶＣＴ２を受信するための制御端子、及び出力端とを有し、Ｂ信号ＶＢに対して既知のガンマ補正を行い、補正後のＢ信号（被補正Ｂ信号）Ｖ１５Ｂをその出力端より出力する。ここでは、３原色の上記補正回路１３、１４及び１５を「ガンマ補正回路」と総称すると共に、３原色の上記被補正信号Ｖ１３Ｒ，Ｖ１４Ｇ，Ｖ１５Ｂを「被補正３原色信号」と総称する。
【００１７】
又、画像表示部駆動回路２０は、ガンマ補正回路（１３，１４，１５）の出力端に接続された入力端及び出力端とを有し、被補正３原色信号（Ｖ１３Ｒ，Ｖ１４Ｇ，Ｖ１５Ｂ）に基づき３原色に関する第１駆動信号Ｖ２０Ｒ，Ｖ２０Ｇ，Ｖ２０Ｂを生成し、第１駆動信号Ｖ２０Ｒ，Ｖ２０Ｇ，Ｖ２０Ｂをその出力端より出力する。そして、画像表示部１は、画像表示部駆動回路２０の出力端に接続された入力端を有しており、第１駆動信号Ｖ２０Ｒ，Ｖ２０Ｇ，Ｖ２０Ｂに基づき、入力３原色信号ＶＲ，ＶＧ，ＶＢによって与えられる本来表示すべき画像である第１画像を表示する。
【００１８】
これに対して、本装置の核心部であるホワイトバランス補正回路系は、次の各要素１６−１９，３，５及び２１より構成される。以下に、ホワイトバランス補正回路系の各構成要素について記載する。
【００１９】
先ず、テストパターン発生回路１６は、例えばＲＯＭより成る固有画面データ格納部であり、出力端、及びＣＰＵ２１より発せられるアドレス信号ＶＡを受信する受信端を有する。そして、同回路１６は、少なくとも１種類の測定用１画面（固定画面）を与える３原色テストパターン信号Ｖ１６Ｒ、Ｖ１６Ｇ、及びＶ１６Ｂを保有しており、アドレス信号ＶＡの読出しタイミングに応じて３原色テストパターン信号Ｖ１６Ｒ、Ｖ１６Ｇ、及びＶ１６Ｂをその出力端より出力する。尚、本実施の形態では、説明の便宜上、同回路１６は、３種類の測定用１画面（固定画面）をそれぞれ与える３種類の３原色テストパターン信号Ｖ１６Ｒ、Ｖ１６Ｇ、及びＶ１６Ｂ（各種の３原色テストパターン信号をそれぞれグレー信号Ｋ１，Ｋ２，Ｋ３と称す）を保有している。
【００２０】
又、平均の明るさ生成回路１７は、ガンマ補正回路（１３，１４，１５）の出力端に接続された入力端及び出力端を有しており、被補正３原色信号（Ｖ１３Ｒ，Ｖ１４Ｇ，Ｖ１５Ｂ）のそれぞれに対して１画面当りに関する平均化処理を行って、入力３原色信号（ＶＲ，ＶＧ，ＶＢ）それぞれの平均の明るさを与える被平均化３原色信号Ｖ１７Ｒ、Ｖ１７Ｇ、及びＶ１７Ｂを生成し、被平均化３原色信号Ｖ１７Ｒ、Ｖ１７Ｇ、及びＶ１７Ｂをその出力端より出力する。
【００２１】
又、切換回路１８は、平均の明るさ生成回路１７の出力端に接続された第１入力端１８ＩＴ１と、テストパターン発生回路１６の出力端に接続された第２入力端１８ＩＴ２と、ＣＰＵ２１内の切換制御部から発する第１制御信号ＶＣＴ１を受信するための制御端と、出力端１８ＯＴとを有しており、第１制御信号ＶＣＴ１のレベルに応じて、第１入力端１８ＩＴ１と出力端１８ＯＴとの第１接続と、第２入力端１８ＩＴ２と出力端１８ＯＴとの第２接続とを、切り換える。
【００２２】
又、測定用表示部駆動回路１９は、切換回路１８の出力端に接続された入力端と、測定用表示部３の入力端に接続された出力端とを有しており、切換回路から発せられる３原色に関する出力信号Ｖ１８Ｒ、Ｖ１８Ｇ、及びＶ１８Ｂに基づき、３原色に関する第２駆動信号Ｖ１９Ｒ、Ｖ１９Ｇ、及びＶ１９Ｂを生成し、第２駆動信号Ｖ１９Ｒ、Ｖ１９Ｇ、及びＶ１９Ｂをその出力端より出力する。
【００２３】
ここで、ＣＰＵ２１内の一機能回路部である切換回路制御部は、（ｉ）ホワイトバランス補正を一切行わない通常動作期間においては、上記第１接続を指令する第１レベル（例えばＬレベル）を有する第１制御信号ＶＣＴ１を、その出力端より切換回路１８に対して出力する一方、（ｉｉ）通常動作期間後の、換言すれば、ある通常動作期間と次の通常動作期間との間の、ホワイトバランス補正を行う補正期間においては、上記第２接続を指令する第２レベル（例えばＨレベル）を有する第１制御信号ＶＣＴ１を、その出力端より切換回路１８に対して出力する。その結果、測定用表示部３は、（ｉ）通常動作期間においては、第１画像の明るさを１画面に渡って平均化した明るさを有する第２画像を第１画像の表示と同時に表示し続ける一方、（ｉｉ）通常動作期間と比較して極めて短期間の補正期間においては、各グレー信号Ｋ１，Ｋ２，Ｋ３によって与えられる測定用１画面（固定画面）である３種の第３画像を順次に表示する。従って、両表示部１，３の第１及び第２発光特性は互いに同一であり、且つ、両表示部１，３の第１及び第２経時変化特性も互いに同一である上に、第２画像は第１画像の平均的明るさを有する画像とされているので、通常動作期間中における実際の両表示部１，３の表示特性の経時劣化は互いにほぼ等しいとみなすことが可能である。加えて、補正期間においては、成る程に、測定用表示部３は、第１画像とは何の関係も無い固定画像としての第３画像を表示しているけれども、当該補正期間は固定画面の第３画像の明るさを光センサ５で以って検出するのに要する時間に相当しており、その検出時間は通常動作期間と比較して相対的に極めて短い時間であると、みなし得るので、補正期間の介在によっては、両表示部１，３の表示特性経時劣化レベル間に差異は何等生じないものと、評価可能である。この点に関する発想（着眼点）が、本実施の形態の技術的思想を支えるバックボーンである。
【００２４】
尚、ＣＰＵ２１内の切換回路制御部は、ユーザーによる外部からの補正指令に応じて第２レベルの第１制御信号ＶＣＴ１を発する様にしても良いし、あるいは、ＣＰＵ２１内部にタイマを有しておき、当該タイマの時間が予め定められた補正時になった際に切換回路制御部が第２レベルの第１制御信号ＶＣＴ１を発することとしても良い。
【００２５】
又、光センサ５は、図２の記載において既述した様に測定用表示部３の表示面３Ｓに対向配置されており、少なくとも、補正期間において測定用表示部３が表示する第３画像（測定用基本パターン）の３原色の明るさを検出して、被検出３原色明るさ信号Ｖ５Ｒ，Ｖ５Ｇ，Ｖ５Ｂをその出力端より出力する。但し、本実施の形態においては、光センサ５は、第３画像の明るさ検出のみならず、通常動作モードでの第２画像の明るさ検出をも行うものとしており、ＣＰＵ２１は、光センサ５の出力信号Ｖ５Ｒ，Ｖ５Ｇ，Ｖ５Ｂが第３画像の明るさ検出信号を与えるときにのみ（換言すれば、第２レベルの第１制御信号ＶＣＴ１を生成・出力している補正期間のみ）、出力信号Ｖ５Ｒ，Ｖ５Ｇ，Ｖ５Ｂを受信・入力するものとしている。あるいは、この構成に代えて、図３に破線で示す様に、ＣＰＵ２１は、第２レベルの第１制御信号ＶＣＴ１を、光センサ５のオン・オフ制御信号として更に光センサ５に出力することによって、光センサ５は補正期間においてのみ検出動作を行うこととしても良い。
【００２６】
ＣＰＵ２１は、当該ホワイトバランス補正回路系の中核要素であり、既述の切換回路制御部としての動作を担うのみならず、次のガンマ補正制御部に代表される様な様々な機能を呈する。特に、ＣＰＵ２１内のガンマ補正制御部について述べると、次の通りである。
【００２７】
即ち、ガンマ補正制御部は、光センサ５の出力端に接続された入力端及びガンマ補正回路（１３，１４，１５）の制御端に接続された出力端を有し、測定用表示部駆動回路１９において３原色テストパターン信号Ｖ１６Ｒ，Ｖ１６Ｇ，Ｖ１６Ｂより生成される第２駆動信号Ｖ１９Ｒ，Ｖ１９Ｇ，Ｖ１９Ｂのレベルデータを保有している。その上で、同部は、上記レベルデータ及び補正期間において受信する被検出３原色明るさ信号Ｖ５Ｒ，Ｖ５Ｇ，Ｖ５Ｂに基づいて、第１画像のホワイトバランスを補正するために必要な第１駆動信号Ｖ２０Ｒ，Ｖ２０Ｇ，Ｖ２０Ｂの補正量に相当する変換テーブルデータを生成し、当該変換テーブルデータを第２制御信号ＶＣＴ２としてその出力端より出力する。その結果、各ガンマ補正回路１３，１４，１５は、第２制御信号ＶＣＴ２の受信以後、第２制御信号ＶＣＴ２が与える変換テーブルデータに基づき、ガンマ補正を行う。
【００２８】
次に、図３の装置の動作を、ＣＰＵ２１における動作・機能を示すフローチャートである図５を適宜参照しつつ、且つ、その他の図面をも参照しつつ、詳述する。
【００２９】
先ず、Ｒ信号入力端子１０、Ｇ信号入力端子１１、及びＢ信号入力端子１２は、それぞれＲ信号ＶＲ，Ｇ信号ＶＧ，及びＢ信号ＶＢを受信し、受信した入力色信号を対応する色のガンマ補正回路１３−１５に出力する。その結果、Ｒ信号ＶＲ，Ｇ信号ＶＧ，及びＢ信号ＶＢは、それぞれ対応する色のガンマ補正回路１３，１４，及び１５に入力される。そして、各ガンマ補正回路１３，１４，１５は、各回路１３−１５内に予め設定されているガンマ補正用の入力―出力変換テーブルデータに基づき、所望の輝度及びホワイトバランスを有する良好な第１画像表示が画像表示部１において得られる様に、入力３原色信号（ＶＲ，ＶＧ，ＶＢ）の内で対応する色信号に対して既知のガンマ補正を施す。その上で、各ガンマ補正回路１３，１４，及び１５は、補正後の被補正Ｒ信号Ｖ１３Ｒ，被補正Ｇ信号Ｖ１４Ｇ，及び被補正Ｂ信号Ｖ１５Ｂを、画像表示部駆動回路２０及び平均の明るさ生成回路（実質的には第２画像信号を生成する部分）１７に出力する。
【００３０】
その結果、一方の画像表示部駆動回路２０は、受信した被補正３原色信号Ｖ１３Ｒ，Ｖ１４Ｇ，及びＶ１５Ｂを、第１画像の表示に適したデータ形式の第１駆動信号Ｖ２０Ｒ，Ｖ２０Ｇ，及びＶ２０Ｂに変換した上で、生成後の３原色それぞれの第１駆動信号Ｖ２０Ｒ，Ｖ２０Ｇ，及びＶ２０ＢをＰＤＰ内の画像表示部１の電極（図示せず）に印加し、画像表示部１は第１画像を表示する。
【００３１】
他方の平均の明るさ生成回路１７は、受信した被補正３原色信号Ｖ１３Ｒ，Ｖ１４Ｇ，及びＶ１５Ｂそれぞれの平均の明るさを算出する処理を行う。即ち、平均の明るさ生成回路１７は、１画面分の各被補正３原色信号Ｖ１３Ｒ，Ｖ１４Ｇ，及びＶ１５Ｂのレベルに対して平均化処理を実行して、各色毎に、平均的な明るさのレベルを与える１画面平均信号を生成する。更に、同回路１７は、各色の１画面平均信号をローパスフィルタ（図示せず）に通すことによって、各１画面平均信号を一定時間平均化する。その結果得られる信号が、第１画像に対して平均的な明るさ（光量）を呈する第２画像を形成する出力信号Ｖ１７Ｒ，Ｖ１７Ｇ，Ｖ１７Ｂである。尚、各色に関する上記１画面平均信号を以って出力信号Ｖ１７Ｒ，Ｖ１７Ｇ，Ｖ１７Ｂとしても良い（つまり、ローパスフィルタ処理を行わない）。
【００３２】
その様な平均の明るさ生成回路１７によって算出されるＧ色に関する出力信号Ｖ１７Ｇを、図４のグラフに示す。図４中、横軸は時間を、縦軸は平均化処理された出力信号Ｖ１７Ｇの大きさ（レベル）を示す。そして、図４中の破線で示される曲線２６がＧ（緑）に関する１画面平均信号であり、実線で示される曲線２５が、Ｇの１画面平均信号２５を更に一定時間だけ平均化処理して得られる出力信号Ｖ１７Ｇである。
【００３３】
そして、本回路１７は、上述の明るさ平均化処理を行った後に、３原色それぞれに関する出力信号Ｖ１７Ｒ，Ｖ１７Ｇ（図４の曲線２５相当），Ｖ１７Ｂを、切換回路１８の第１入力端１８ＩＴ１に送信する。
【００３４】
（Ａ）以下においては、先ず、通常動作期間（通常動作モード）における動作を記載する。
【００３５】
ＣＰＵ２１は、補正期間の開始指令を検出しない限りは、図３の本装置は通常動作モードにあるものと判断して、第１レベルの第１制御信号ＶＣＴ１を切換回路１８の制御端に出力し続ける（図５のステップＳ１）。その結果、通常動作モードにおいては、切換回路１８は第１接続を実現し続け、従って、平均の明るさ生成回路１７の出力信号Ｖ１７Ｒ，Ｖ１７Ｇ，Ｖ１７Ｂを通す。その結果、切換回路１８を通過した各色の出力信号Ｖ１７Ｒ，Ｖ１７Ｇ，Ｖ１７Ｂは測定用表示部駆動回路１９に入力され、同回路１９は、入力した各色の出力信号Ｖ１７Ｒ，Ｖ１７Ｇ，Ｖ１７Ｂを、第２画像の表示に適したデータ形式の第２駆動信号Ｖ１９Ｒ，Ｖ１９Ｇ，Ｖ１９Ｂを生成して測定用表示部３の電極（図示せず）に印加し、これにより、測定用表示部３は、画像表示部１の第１画像の明るさと対比して、その平均的な明るさを呈する第２画像を表示する。
【００３６】
この様に、通常動作期間においては、測定用表示部３は常に画像表示部１の表示画像に対して平均的な明るさを有する第２画像の表示を行うので、偏りのない平均的な画像表示部１における経時変化を測定用表示部３で実現可能としている。即ち、通常動作期間中における、画像表示部１の経時変化と測定用表示部３の経時変化とはほぼ同一であると、みなし得る。
【００３７】
（Ｂ）次に、通常動作期間に引き続く補正期間における動作について記載する。
【００３８】
本ディスプレイ装置の工場出荷時点から、ある時間経過した時点においては、測定用表示部３の入力信号（第２駆動信号）に対する各色毎の明るさの表示特性は、相互に相違している。この明るさ表示特性の相対的なずれ量は、測定用表示部３における表示特性の経時変化に起因するものであるので、同様の相対的なずれ量は画像表示部１に関してもほぼ同様に妥当する。即ち、３原色中の基準色に関する入力信号のあるレベルに関して各色の明るさのレベルを比較すると、他の２色中、一方の明るさは基準色のそれよりも明るく（あるいは暗く）、他方の色の明るさは基準色のそれよりも更に明るくなる（あるいは更に暗くなる）。このため、使用時における３原色の輝度の比率は工場出荷時における３原色の輝度の調整済み比率とは異なったものとなっており、使用時の白色光は好ましくない色温度の白色となっている。そこで、工場出荷時の調整値からずれてしまっている画像表示部１におけるホワイトバランスを、測定用表示部３における第３画像のホワイトバランスの調整ないしは補正処理を通じて、好ましいレベルに補正する必要性が生じる。既述の通り、通常動作期間においては両表示部１，３の表示特性の経時変化は同等とみなすことが出来、しかも、補正期間における光センサ５による明るさ検出期間は相対的に見て極めて短く無視し得る時間であるため、補正期間においても両表示部１，３の表示特性の経時変化に齟齬は生じていないと、みなし得る。従って、測定用表示部３における第３画像のホワイトバランスの補正処理は、画像表示部１におけるホワイトバランスの補正処理と等価である。
【００３９】
（Ｂ−１）通常動作期間における上記状態の下で、例えば、本装置の電源投入後からある程度の時間が経過した時に、あるいは本装置の電源オフ時に、あるいは、本装置がテレビジョンである場合においてそのチャンネルを切り換えることによって入力３原色信号が変更された時に、或いは、画面に画像が表示されていない時に、ＣＰＵ２１は、補正期間の開始時であると判断して、第２レベルを有する第１制御信号ＶＣＴ１を切換回路１８の制御端に印加する（図５のステップＳ２）。その結果、切換回路１８は第１接続から第２接続へと接続関係を切換える。そして、ＣＰＵ２１は、データ読出し制御信号たるアドレス信号ＶＡをテストパターン発生回路１６の制御端に出力し、その結果、同回路１６は、保有する３種の３原色テストパターン信号Ｖ１６Ｒ，Ｖ１６Ｇ，Ｖ１６Ｂを１画面毎に順次に切換回路１８側に出力する。尚、最初の１固定画面を与える３原色テストパターン信号（第１グレー信号Ｋ１）の出力タイミングに関しては、当該第１グレー信号Ｋ１を読み出すためのアドレス信号ＶＡを、第１制御信号ＶＣＴ１の第１レベルから第２レベルへの変更前の時点で、ＣＰＵ２１は生成・出力しても良い。切換回路１８内の切換動作により、Ｒ、Ｇ、Ｂ各色のテストパターン信号Ｖ１６Ｒ，Ｖ１６Ｇ，Ｖ１６Ｂが測定用表示部駆動回路１９に入力され、同回路１９は、１固定画面たるテストパターンを表示するのに適したデータ形式の第２駆動信号Ｖ１９Ｒ，Ｖ１９Ｇ，Ｖ１９Ｂを生成・出力する。これにより、測定用表示部３は、第１グレー信号Ｋ１によって与えられる第１番目のテストパターンの第３画像（固定画面）を表示し、即座に光センサ５は第１番目のテストパターンにおける各色の明るさ（光量）を検出して、その検出データＶ５Ｒ，Ｖ５Ｇ，Ｖ５ＢをＣＰＵ２１に送信する。ＣＰＵ２１は同信号Ｖ５Ｒ，Ｖ５Ｇ，Ｖ５Ｂを受信・取得する。引き続いて、ＣＰＵ２１は、再度アドレス信号ＶＡをテストパターン回路１６に送信して同回路１６から第２グレー信号Ｋ２を読出し、第２グレー信号Ｋ２によって与えられる第２番目のテストパターンの第３画像（固定画面）を測定用表示部３において表示させ、光センサ３から第２番目のテストパターンにおける各色の明るさ（光量）データを取得する。更に、ＣＰＵ２１は、アドレス信号ＶＡをテストパターン回路１６に送信して同回路１６から第３グレー信号Ｋ３を読出し、第３グレー信号Ｋ３によって与えられる第３番目のテストパターンの第３画像（固定画面）を測定用表示部３において表示させ、光センサ３から第３番目のテストパターンにおける各色の明るさ（光量）データを取得する。ここで再度述べると、テストパターンは、画像表示部１の入力信号（第１駆動信号）に対する明るさの表示特性を求めるための基本パターンである（グレー信号Ｋ１，Ｋ２，Ｋ３）。勿論、テストパターンの数は任意であり、少なくとも１種類のテストパターンさせ保有されていれば、理論的には次に記載する近似曲線及び変換曲線を求めることは可能である。
【００４０】
そして、ＣＰＵ２１は、全てのテストパターンにおける各色の明るさ（光量）データの取得完了後に、第１制御信号ＶＣＴ１のレベルを第１レベルに戻す。
【００４１】
（Ｂ−２）次に、ＣＰＵ２１（ガンマ補正制御部）は、その内部に保有している上記レベルデータ、及び、光センサ５より取得した被検出３原色明るさ信号Ｖ５Ｒ，Ｖ５Ｇ，Ｖ５Ｂに基づいて、３原色の各色に関する、第２駆動信号と第３画像における明るさとの関係を示す近似曲線を与えるデータを生成する（図５のステップＳ３）。以下では、記載を簡単化すると言う見地から、Ｒ，Ｇ，Ｂ各色の明るさが等しいときに、即ち、Ｒ，Ｇ，Ｂ各色の輝度の比率が１：１：１のときに、ホワイトバランスが良好になっているものとする（一般的には、Ｒ，Ｇ，Ｂ各色の輝度の比率が所定の比率を与えるときに、ホワイトバランスは良好であると言える）。この点は、後述する全ての変形例、その修正例及び他の実施の形態においても、妥当する。
【００４２】
図６は、ＣＰＵ２１によって生成された近似曲線データの一例を、即ち、工場出荷時からある時間だけ経過した時点における、測定用表示部３の入力信号に対する明るさの表示特性を与える近似曲線を示している。図６に示す通り、Ｒ，Ｇ，Ｂ各色の入力信号Ｖ１９Ｒ，Ｖ１９Ｇ，Ｖ１９Ｂに対する明るさの特性が相互にずれていることが理解される。工場出荷時においては、Ｒ，Ｇ、Ｂ各色の明るさ特性は同一になる様に調整されているので、３色の明るさレベルは同じ線上にあるが、その後の経時変化により、Ｂ（青）の明るさが３色の中で最も暗くなり、その次にＧ（緑）の明るさが暗い状態となっている。例えば、図６の横軸のレベルデータが入力信号Ｋ３のときには、（Ｒの明るさＲ３）＞（Ｇの明るさＧ３）＞（Ｂの明るさＢ３）と言う大小関係が得られる。この結果、第３画像及び第１画像のホワイトバランスに関しては、白色光が赤く染まった状態となっており（色温度の低下）、好ましくない画像が表示されている。
【００４３】
（Ｂ−３）次に、ＣＰＵ２１（ガンマ補正制御部）は、第１画像、従って第３画像における３原色それぞれの明るさの比率を所定の比率（ここでは１：１：１）とするために必要な、３原色の内の基準色（図６の例ではＢ（青色））に関する第１駆動信号の第１レベル（図６の例では横軸のレベルＫ１，Ｋ２，Ｋ３に該当）に対する、他の２色（図６の例ではＲ（赤色）及びＧ（緑色））に関する第２駆動信号の第２及び第３レベルを与える変換テーブルデータを、上記近似曲線データに基づいて生成する（図５のステップＳ４）。
【００４４】
図６に則してより具体的に述べると、ＣＰＵ２１は、ホワイトバランスを良好にするために、バランスの崩れたＲ、Ｇ、Ｂ各色の明るさを、現補正期間において一番暗いＢの明るさに合致する様に、ガンマ補正回路１３，１４，１５で使用する、Ｒ、Ｇ、Ｂ各色の入力信号を変換するための変換テーブルを作成する。即ち、図６の一例によれば、ＣＰＵ２１は、図６の近似曲線より、入力信号Ｋ３における基準色Ｂ（青色）の明るさ（第１レベル）Ｂ３を与える他の２色Ｒ、Ｇの入力信号（第２及び第３レベル）Ｋ３Ｒ及びＫ３Ｇを決定する。そして、算出した第２駆動信号の第２及び第３レベルＫ３Ｒ及びＫ３Ｂを、図７に示すガンマ補正回路の入力信号と出力信号との変換図に、プロットする。同様に、ＣＰＵ２１は、基準色Ｂに関する第２駆動信号の第１レベルＫ１及びＫ２のそれぞれに対する、他の２色Ｒ、Ｇの第２駆動信号の第２及び第３レベル（Ｋ１Ｒ，Ｋ１Ｇ）及び（Ｋ２Ｒ，Ｋ２Ｇ）をも図６の近似曲線から算出して、得られた第２及び第３レベル（Ｋ１Ｒ，Ｋ１Ｇ）、及び別の第２及び第３レベル（Ｋ２Ｒ，Ｋ２Ｇ）を図７に示す様にプロットすることで、これらの算出点から変換曲線を求める。以上の一連の処理により得られた、図７に例示する変換曲線が、変換テーブルデータを成すのである。
【００４５】
尚、ここでは好ましい態様として基準色をＢ（青色）と設定しているが、これに代えて、Ｒ（赤色）及びＧ（緑色）の何れか一方を基準色に設定しても良い。
【００４６】
（Ｂ−４）その後、ＣＰＵ２１は、求められた変換テーブルデータを第２制御信号ＶＣＴ２として各色のガンマ補正回路１３，１４，１５に送信する（図５のステップＳ５）。
【００４７】
その結果、ガンマ補正回路１３，１４，１５の各々は、第２制御信号ＶＣＴ２が与える対応する色の変換テーブルデータを受け取り、以後、当該変換テーブルデータに基づいて、入力信号から出力信号への変換（ガンマ補正）を行う。
【００４８】
その結果、本実施の形態によれば、画像表示部１における表示特性の経時変化に伴う劣化状況を的確に反映させつつ、換言すれば、当該劣化状況を正しく測定しつつ、所定のホワイトバランスを有する良好な画像表示を得ることが出来る。更に述べれば、本実施の形態においては、測定用表示部３は、画像表示部１における経時劣化を考慮した実際の表示画像（第１画像）に極めて近い画像の表示を実現し得るので、その様な測定用表示部３において実施される表示画像（第３画像）の明るさ検出は、実際の表示画像（第１画像）の、ホワイトバランスを決定付けるＲ，Ｇ，Ｂ各色の輝度の高精度測定と等価である。
【００４９】
（変形例１）
本変形例は実施の形態１の改善技術に関するものであり、当該技術の要旨は、ＣＰＵ２１が算出した変換テーブルデータを「暫定的な変換テーブルデータ」とした上で、この暫定的な変換テーブルデータが与える補正量に制限を設ける点にある。即ち、ＣＰＵ２１（ガンマ補正制御部）は、上記暫定的変換テーブルデータを用いて、▲１▼３原色中の基準色に関しては第２駆動信号（従って第１駆動信号）の第１レベル自体を第２駆動信号（従って第１駆動信号）の第１補正レベルとして与え（補正量の制限なし）、▲２▼他の２色の一方に関しては、第２駆動信号（従って第１駆動信号）の第１レベルと第２レベルとで規定され且つ第１及び第２レベルを除く範囲内のレベルを第２駆動信号（従って第１駆動信号）の第２補正レベルとして与えると共に、▲３▼他の２色の他方に関しては、第２駆動信号（従って第１駆動信号）の第１レベルと第３レベルとで規定され且つ第１及び第３レベルを除く範囲内のレベルを第２駆動信号（従って第１駆動信号）の第３補正レベルとして与えることで、上記暫定的変換テーブルデータから「制限補正テーブルデータ」を算出する。そして、ＣＰＵ２１は、この制限補正テーブルデータに基づき、前記ガンマ補正回路１３−１５の制御端に印加すべき変換テーブルデータを決定する。この場合、ＣＰＵ２１は、（ｉ）得られた上記制限補正テーブルデータをそのまま最終的な変換テーブルデータに設定しても良いし、あるいは、（ｉｉ）各色Ｒ，Ｇ，Ｂに関して変換テーブルデータのリミッタ値（過補正防止用データ）を設けておいて、このリミッタ値と上記制限補正テーブルデータとの比較処理から、更に上記制限補正テーブルデータに対して制限を課すことで更なる制限補正テーブルデータを求め、この新たな制限補正テーブルデータを最終的な変換テーブルデータに設定しても良い（詳しくは、後述する本変形例の修正例の記載を参照されたし）。
【００５０】
上述の記載から理解される通り、本変形例の適用に係るカラーディスプレイ装置の回路構成自体は実施の形態１の図３に例示するものと基本的に同一であり、ただＣＰＵ２１内部の機能が相違するのみである。従って、本変形例の記載に当っては、図３を援用する。
【００５１】
そこで、以下では、先ず、図６の近似曲線データから求められた変換曲線に対して制限を加えると言う着想に至った経緯（新たな問題点の認識）を記載した上で、本変形例の具体的構成をＣＰＵ２１の機能を示す図８のフローチャートに基づき記載する。尚、本変形例においても、好ましい態様として、３原色中の基準色をＢ（青色）に設定している。
【００５２】
＜着眼点＞
補正データ作成時における測定系の測定精度に起因して、測定用表示部３の明るさを正確に測定出来ない場合がある。ここで、「測定系」とは、図３のテストパターン発生回路１６−配線―切換回路１８−配線―測定用表示部駆動回路１９―配線―測定用表示部３−光センサ５−配線―入力端２１ＩＴから成る系統である。更に、外部からの電磁波の伝播による影響（ＥＭＩノイズ）の様な、何らかの外乱に起因して、同じく、測定用表示部３の明るさを正確に測定出来ない場合もある。その様な場合に対して、明らかな製品の異常を生じさせない様にするためには、ＣＰＵ２１は図６の近似曲線より算出した図７の補正量に対して適当な量の制限を加える必要性がある。即ち、上記の原因により生じるノイズを含む測定値を計測結果としてＣＰＵ２１が取得するときには、図６の近似曲線が示す入力信号に対する明るさは、ノイズがないときの本来の明るさと較べて、大きくなりがちとなる。そこで、ＣＰＵ２１は、計測結果から得られる近似曲線データを本来のデータに近づけるために、計測結果から得られる補正量に対して制限処理を施す必要性を有する。
【００５３】
＜具体例＞
図８は、本変形例におけるＣＰＵ２１における処理を示すフローチャートであり、図８中のステップＳ１−Ｓ３及びＳ５はそれぞれ図５中のステップＳ１−Ｓ３及びＳ５と同一である。従って、以下では、図８のステップＳ４１及び４２について記載する。
【００５４】
本変形例においては、ＣＰＵ２１は、ステップＳ４１で算出された暫定的変換テーブルデータ（算出方法は図５のステップＳ４で記載した方法と同一である）をそのままガンマ補正回路１３，１４，１５に送るのではなくて、当該暫定的変換テーブルデータに対して制限処理を施して、制限補正テーブルデータを生成する（ステップＳ４２）。ここでは、補正量制限の典型的な一例として、ＣＰＵ２１は、Ｇ（緑色）及びＲ（赤色）のそれぞれに関して、暫定的変換テーブルデータ（図７のＧに関する実線、図７のＲに関する２点鎖線）と、Ｂガンマ補正回路１５内に元来設定されている（補正前の）変換テーブル（即ち、図７のＢに関する破線の直線）との間の真ん中の位置を繋いで出来上がる曲線を与えるテーブルデータを算出して、その制限補正テーブルデータを、ガンマ補正回路１３，１４，１５に送信すべき最終的な変換テーブルデータに決定する。即ち、ＣＰＵ２１は、図７で示される暫定的変換テーブルデータより、（ａ）Ｒ（赤色）に関しては、（Ｋ１Ｒ＋Ｋ１）／２、（Ｋ２Ｒ＋Ｋ２）／２、及び（Ｋ３Ｒ＋Ｋ３）／２の演算処理を行い、（ｂ）Ｇ（緑色）に関しては、（Ｋ１Ｇ＋Ｋ１）／２、（Ｋ２Ｇ＋Ｋ２）／２、及び（Ｋ３Ｇ＋Ｋ３）／２の演算処理を行って、Ｒ（赤色）及びＧ（緑色）の制限補正テーブルデータを生成し、他方、（ｃ）Ｂ（青色）に関しては暫定的変換テーブルデータ（Ｋ１，Ｋ２，Ｋ３）そのものを制限補正テーブルデータに設定する。
【００５５】
尚、一般的には、既述した通り、ＣＰＵ２１は、（ａ）制限後のＲ（赤色）の出力信号ＫｉＲＡ（ｉは１、２、３）を、それぞれ、Ｋ１Ｒ＜Ｋ１ＲＡ＜Ｋ１、Ｋ２Ｒ＜Ｋ２ＲＡ＜Ｋ２、及びＫ３Ｒ＜Ｋ３ＲＡ＜Ｋ３の範囲内の任意値に設定すれば良く、（ｂ）制限後のＧ（緑色）の出力信号に関しても同様な設定をすれば良い。
【００５６】
その後、ＣＰＵ２１は、制限補正テーブルデータを変換テーブルデータに決定した上で、当該変換テーブルデータを第２制御信号ＶＣＴ２として各ガンマ補正回路１３，１４，１５に送信する（ステップＳ５）。その結果、ガンマ補正回路１３，１４，１５の各々は、受信した対応色の変換データに基づいて、経時変化により劣化したホワイトバランスを半分だけ改善する様に動作する。
【００５７】
これにより、本変形例によれば、測定系の精度あるいは電磁波ノイズ等の外乱に起因した誤動作を起こす事無く、加えるべき補正量を正確に決定することが可能となり、画像表示部１の表示特性の経時変化に拘わらず、良好なホワイトバランスを有する画像表示を実現することが出来る。
【００５８】
（変形例１の修正例）
更に、ＣＰＵ２１は、図８のステップＳ４２において算出した変換曲線のデータ、即ち、制限補正テーブルデータを、ＣＰＵ２１内の記憶領域内に予め記憶している制限変換曲線のデータ（即ち、リミッタ値）と逐一比較処理をすることによって、更なる補正量の制限（２重の制限）を行う様にしても良い。この場合、比較基準となる上記リミッタ値としては、▲１▼画像表示部１における第１画像が相対的に明るくなりすぎるのを阻止するための上限レベルであっても良いし、及び／又は、▲２▼逆に、画像表示部１における第１画像が相対的に暗くなりすぎるのを阻止するための下限レベルであっても良い。この様なデータ比較処理により、ＣＰＵ２１が、ある入力信号において、ステップＳ４２で算出された変換曲線（制限補正テーブルデータ）の出力信号が上記リミッタ値を与える記憶済み変換曲線の出力信号よりも過補正になることを検出した場合には、ＣＰＵ２１は、当該入力信号に対する出力信号の値を上記記憶済み変換曲線上の出力信号値に止めるように制限処理を実行する。
【００５９】
この様な上限／下限リミッタ値との比較処理を通じた更なる補正量の制限処理をＣＰＵ２１が行うことにより、ＣＰＵ２１は、経時変化補正後の第１画像が明るくなりすぎたり、あるいは、暗くなりすぎると言う過補正の発生を未然に防止することが出来る。
【００６０】
尚、本修正例における補正量制限方法は、変形例１への適用のみならず、既述した実施の形態１に対しても適用可能であり、更には、後述する全ての実施の形態及び変形例にも適用可能であり、如何なる適用例においても、過補正発生未然防止と言う同様の利点が得られる。
【００６１】
（変形例２）
本変形例は、変形例１とは別の着眼点及び異なる方法により、ＣＰＵ２１が図６の近似曲線より算出した暫定的な変換テーブルデータの補正量に対して制限を設ける点に、その特徴を有する。従って、本変形例においては、図３のＣＰＵ２１の機能・動作のみが実施の形態１及びその変形例１とは相違するだけであり、本変形例の記載においても基本的に図３を援用する。先ず、本変形例の特徴点を一般的に述べれば、次の通りである。
【００６２】
即ち、本変形例では、ＣＰＵ２１は、図３のカラーディスプレイ装置の工場出荷時からの経過時間ｔを計測するタイマを更に備えており、しかも、ＣＰＵ２１内部のガンマ補正制御部は、３原色中、基準色（ここでは例えば青色）を除く２色の内の第１色（ここでは例えば赤色）に関する上記経過時間ｔに対する第１補正係数α１及び他方の第２色（ここでは緑色）に関する上記経過時間ｔに対する第２補正係数α２をそれぞれ与える補正係数テーブルデータを、その記憶部内に更に有している。ここで、補正係数テーブルデータ内の補正係数α１及びα２は、測定系の経時変化特性に基づき定められており、しかも、第１及び第２補正係数α１及びα２は、共に０以上且つ１以下の範囲内の値である（０≦α１≦１、０≦α２≦１）。尚、ここで言う「測定系」とは、変形例１で既述したものである。
【００６３】
更に、ガンマ補正制御部は、（ａ）第１画像における３原色それぞれの明るさの比率を所定の比率とするために必要な（つまり、所望のホワイトバランスを得るのに必要な）、３原色中の基準色に関する第２駆動信号（従って、第１駆動信号）の第１レベルに対する第１及び第２色に関する第２駆動信号（従って、第１駆動信号）の第２及び第３レベルを与える暫定的変換テーブルデータを、近似曲線データに基づいて生成する。この点は、変形例１と共通するステップである。
【００６４】
更に、ガンマ補正制御部は、（ｂ）上記タイマの計測結果に応じて補正期間の開始時に対応する現経過時間を求めて、当該現経過時間における第１及び第２補正係数α１及びα２の値を上記補正係数テーブルデータより読み取る。
【００６５】
更に、ガンマ補正制御部は、（ｃ）第２駆動信号（従って、第１駆動信号）の第１レベルに対して、▲１▼基準色に関しては第２駆動信号（従って、第１駆動信号）の第１レベル自体を第２駆動信号の第１補正レベルとして与え、▲２▼他の２色の一方（第１色）に関しては、（１−第１補正係数α１）×（第２駆動信号の第１レベル）＋（第１補正係数α１）×（第２駆動信号の第２レベル）の関係式で与えられるレベルを第２駆動信号（従って、第１駆動信号）の第２補正レベルとして与え、且つ、▲３▼他の２色の他方（第２色）に関しては、（１−第２補正係数α２）×（第２駆動信号の第１レベル）＋（第２補正係数α２）×（第２駆動信号の第３レベル）の関係式で与えられるレベルを第２駆動信号（従って、第１駆動信号）の第３補正レベルとして与える制限補正テーブルデータを生成する。その上で、ガンマ補正制御部は、制限補正テーブルデータに基づき、最終の変換テーブルデータを決定する。この場合、ガンマ補正制御部は、（ｉ）制限補正テーブルデータそれ自体を変換テーブルデータに決定しても良く（後述する本変形例の具体例）、あるいは、（ｉｉ）変形例１の修正例を本変形例にも適用して、制限補正テーブルデータと上限及び／又は下限のリミッタ値との逐一の比較処理を通じて更なる補正量の制限を加えることで、過補正防止対策を施すこととしても良い。
【００６６】
そこで、以下では、先ず、図６の近似曲線データから求められた変換曲線に対して制限を加えると言う着想に至った経緯（新たな問題点の認識）を記載した上で、本変形例の具体的構成をＣＰＵ２１の機能を示す図９のフローチャートに基づき記載する。尚、本変形例においても、好ましい態様として、３原色中の基準色をＢ（青色）に設定している。
【００６７】
＜着眼点＞
補正データ作成時における、測定系の経時変化に起因して、計測により得られた測定値（Ｖ５Ｒ，Ｖ５Ｇ，Ｖ５Ｂ）の精度が経時的に変化する場合がある。本変形例は、この様な場合においても、良好なホワイトバランスを実現するものである。
【００６８】
＜具体例＞
図９中、ステップＳ１−Ｓ３は図５に関するステップＳ１−Ｓ３に相当し、且つ、ステップＳ４１は図８におけるステップＳ４１に相当する。
【００６９】
ステップＳ４Ａにおいて、既述した通り、ＣＰＵ２１は、タイマを介して、プラズマディスプレイ装置の工場出荷時点からの使用経過時間を検知しており、しかも、測定系の経時変化特性を考慮して予め経験的ないしは実験的に得られたＲ（赤）に関する第１補正係数α１及びＧ（緑）に関する第２補正係数α２のデータを、その使用経過時間に対するテーブルデータとして、その記憶領域内に保有している。ここで、当該補正係数テーブルデータが対応可能な使用経過時間の上限とは、例えば本装置の平均的な使用耐久時間であったり、あるいは、本装置の保証期間である。いずれにせよ、ＣＰＵ２１は、その様な経過時間の上限までの各経過時間における第１及び第２補正係数α１、α２の全てを、テーブルデータとして保有しているのである。
【００７０】
ステップＳ４Ａにおいては、ＣＰＵ２１は、当該補正期間の開始時に当る経過時間のデータをタイマの計測値から取得した上で、現経過時間のデータに対する第１及び第２補正係数α１、α２の値を、上記の補正係数テーブルデータから抽出する。
【００７１】
ステップＳ４Ｂにおいては、ＣＰＵ２１は、第１色（Ｒ）及び第１色（Ｇ）のそれぞれに関して、各色に対応する図７中の変換曲線上の暫定的変換データに対して対応する補正係数を用いた次の補正制限処理を行って、制限された変換曲線を生成する。但し、ＣＰＵ２１は、基準色（Ｂ）に対する図７中の変換曲線上の暫定的変換データに対しては、その様な補正制限処理を一切行わず、基準色（Ｂ）に関する図７中の変換曲線上の暫定的変換データそのものを、最終的な変換テーブルデータに設定する。即ち、ＣＰＵ２１は、（ａ）Ｒ（赤）に関しては、画像の補正量に当該経過時間における第１補正係数α１を掛けることで補正量を制限する、即ち、Ｋｉ−α１×（Ｋｉ−ＫｉＲ）＝（１−α１）×Ｋｉ＋α１×ＫｉＲ（ｉ＝１，２，３）の式で与えられる補正データを、入力信号Ｋｉに対する出力信号とする、制限補正テーブルデータを生成すると共に、（ｂ）Ｇ（緑）に関しても同様に、（１−α２）×Ｋｉ＋α２×ＫｉＧ（ｉ＝１，２，３）の式で与えられる補正データを、入力信号Ｋｉに対する出力信号とする、制限補正テーブルデータを生成する。例えば、Ｒ（赤）の制限変換曲線は、第１補正係数α１が１であれば図７のＲ（赤）の暫定的変換曲線と同じになる。これに対して、第１補正係数α１が０であれば、Ｒ（赤）の制限変換曲線は図７のＢ（青）の直線と等しくなり、この場合には補正が働かない。又、第１補正係数α１が０．５であれば、Ｒ（赤）の制限変換曲線は、図７のＲ（赤）の暫定的変換曲線とＢ（青）の直線との真ん中に存在する。
【００７２】
次のステップＳ５において、ＣＰＵ２１は、制限補正テーブルデータを変換テーブルデータとして、即ち、第２制御信号ＶＣＴ２として、各ガンマ補正回路１３−１５に送信する。それ以後の各ガンマ補正回路１３−１５の動作は、実施の形態１で記載した通りである。即ち、各ガンマ変換回路１３，１４，１５は、対応する変換テーブルデータを受け取り、以後それに従って、入力信号から出力信号への変換を行い、ホワイトバランスが良好な画像表示を第１画像として画像表示部１に表示する。
【００７３】
以上の様に、本変形例においては、読み取った現使用経過時間に対応する補正係数を図７の変換曲線に操作することで補正量を適切に制限して、実際に補正を行う変換曲線（変換テーブルデータ）を生成している。このため、本変形例によれば、ＣＰＵ２１は、測定系の経時変化によって測定値精度が経時的に変動する場合においても、実施の形態１と同様に、良好なホワイトバランスを有する第１画像を画像表示部１上に実現することが出来る。
【００７４】
（変形例３）
本変形例は、実施の形態１の改良技術に係わり、特に変形例２の修正に関するものである。従って、変形例２の場合と比較して、ＣＰＵ２１の機能のみが相違する点に特徴があるため、本変形例においても図３を基本的に援用する。
【００７５】
即ち、本変形例の特徴点として、ＣＰＵ２１は、変形例２の様に全ての使用経過時間に対する第１及び第２補正係数のテーブルデータを記憶しているのではなくて、所定の時間が経過する毎に定期的に行う複数の補正期間の各々に対応する経過時間における補正係数データのみを離散的にテーブルデータとして保有するのみである。この構成によって、本変形例においては、変形例２の場合と比較してＣＰＵ２１内に保有乃至は記憶しておく補正係数のデータ量を格段に低減可能としており、この利点は回路構成全体をより簡単化することに寄与し得る。
【００７６】
尚、ＣＰＵ２１は必ずしも定期的な時間経過毎に補正を行う必要性はなく、使用経過時間の経過中の、ある補正期間（第１補正期間）とその次の補正期間（第２補正期間）との間の経過時間を任意の時間に設定しても良いことは勿論であり、この様な一般的な場合においても同様の効果が得られる。
【００７７】
以下、ＣＰＵ２１内の処理を示す図１０のフローチャートに基づいて、本変形例を詳述する。尚、図１０中の各ステップの内で本変形例に特有なものは、ステップＳ４ＡＡ及びＳ６であり、その他のステップは既述したものである。
【００７８】
ＣＰＵ２１は、その内部の記憶領域内に、最初の補正期間に対応する経過時間（ｔ１）、その次の補正期間に対応する経過時間（ｔ２）、更にその次の補正期間に対応する経過時間（ｔ３）、…、第ｎ番目の補正期間に対応する経過時間（ｔｎ）、…のそれぞれに対する第１及び第２補正係数α１及びα２のデータから成る補正係数テーブルデータ（このテーブルデータは、変形例２の場合（ほぼ連続的なデータ群）とは異なり、離散的なデータから成るデータ群である）を、予め格納している。ここで言う第１及び第２補正係数α１及びα２は、変形例２で既述したものであり、何れも０以上及び１以内の範囲内の値を有する。
【００７９】
先ず、最初の補正期間の到来によって、ＣＰＵ２１は、光センサ５の出力信号Ｖ５Ｒ，Ｖ５Ｇ，Ｖ５Ｂより図６に示す近似曲線データを生成した上で、所定のホワイトバランスを得る様に、図７に示す暫定的な変換曲線データを生成する（ステップＳ１Ａ−Ｓ４１）。
【００８０】
そして、ＣＰＵ２１は、上記の補正係数テーブルデータから、当該補正期間の開始時刻に当る経過時間（ｔ１）に対応する第１及び第２補正係数α１及びα２を読み出した上で（ステップＳ４ＡＡ）、当該第１及び第２補正係数α１及びα２に基づき図７に示す暫定的な変換曲線データに対して補正量制限処理を行う。その処理は、具体的には、変形例２の図９におけるステップＳ４Ｂで行われる補正量制限処理と同一である。その後、ＣＰＵ２１は、ステップＳ４Ｂで算出された制限補正テーブルデータに基づき、最終的にガンマ補正回路に指令すべき変換テーブルデータを決定する。その際、ＣＰＵ２１は、変形例１の修正例の技術（リミッタ値による更なる補正制限処理）を適用して変換テーブルデータを決定しても良いが、ここでは、記載の便宜上、ＣＰＵ２１は、制限補正テーブルデータ自体を変換テーブルデータに決定するものとする。
【００８１】
その後、ＣＰＵ２１は、その内部に有するタイマが示す現経過時間と、同じくその内部に有する、次の補正期間に対応する経過時間（ｔ２）とが等しくなるか否かを監視し続け（ステップＳ６）、現経過時間が上記経過時間（ｔ２）に到達したときに、ＣＰＵ２１は、再び光センサ５より測定データを取得した上で、図６の近似曲線データの作成、及び、それに引き続く図７の暫定的変換テーブルデータを生成し、今度は上記経過時間（ｔ２）に対応する第１及び第２補正係数α１及びα２を読み出した上で、同様の補正量制限処理を実行する。
【００８２】
以下、ＣＰＵ２１は、図１０に示す様に、引き続き補正期間が到来する毎に、同様の補正量制限処理及び変換テーブルデータの決定・出力処理を行う。
【００８３】
以上の通り、本変形例によれば、補正量の設定をある定期的な時間毎に行うため、常時回路を動作させる必要がないため回路動作を簡単に出来ると共に、ＣＰＵ２１がその内部で持つ補正係数テーブルも簡単化することが出来、その結果、測定系の経時変化を考慮した上での良好なホワイトバランスを有する第１画像を画像表示部１上に簡易に表示することが可能となる。
【００８４】
（変形例４）
本変形例は変形例３の改良技術に関しており、その特徴点は、変形例３における、ある補正期間（第１補正期間）と、その次の補正期間（第２補正期間）との間の経過時間中に、ＣＰＵ２１は、第１及び第２補正係数の値をそれぞれ第１補正期間に対応する経過時間における対応抽出値に向けて徐々に増大させながら、補正量の制限処理の実行及びガンマ補正回路への変換テーブルデータの送信を継続させて行く点にある。従って、ここでも、図３の回路図を援用しつつ、その具体例を以下に記載する。尚、第１及び第２補正係数の値を徐々に増大させることは必須ではなく、少なくとも抽出した第１及び第２補正係数α１、α２よりも小さな第１及び第２先行補正係数α１Ａ、α２Ａを用いた第１及び第２先行制限処理（第１及び第２補正係数α１、α２を用いた第１及び第２制限処理よりも先行する処理）を、少なくとも一回行うだけでも良い。
【００８５】
図１１は、本変形例における主としてＣＰＵ２１における動作・機能を示したフローチャートであり、変形例３と相違する特徴点はステップＳ４ＡＡ１〜Ｓ４ＡＡ３に存在する。尚、図１１中において、既に表れたステップ番号と同一の番号を有するステップは、それぞれ対応する既述のステップと同様の内容を有するので、本変形例においては、それらの記載を割愛している。
【００８６】
ＣＰＵ２１は、ある補正期間（第１補正期間）と次の補正期間（第２補正期間）との間において、徐々に補正係数を本来の値に向けて増大させて変換データテーブルを生成・出力して行き、最終的には、補正係数テーブルデータから読み出した本来の補正係数値を用いて、あるべき変換データテーブルを生成・出力する。
【００８７】
ステップＳ４ＡＡ１において、ＣＰＵ２１は、当該補正期間（第１補正期間）の開始時間（例えばｔＡとする）に対応する、補正係数テーブルデータより読み出した第１及び第２補正係数α１、α２よりも、十分に小さな任意値α１０、α２０を、それぞれ第１及び第２補正係数（第１及び第２先行補正係数とも称す）α１Ａ、α２Ａに設定する。
【００８８】
その上で、ＣＰＵ２１は、第１及び第２補正係数α１Ａ（＝α１０）、α２Ａ（＝α２０）を用いて、変形例３において既述したステップＳ４Ｂを行って制限補正テーブルデータ（先行制限補正テーブルデータとも称す）を算出し、当該制限補正テーブルデータを変換テーブルデータ（第２制御信号ＶＣＴ２）として各色のガンマ補正回路１３−１５に送信する。
【００８９】
ステップＳ４ＡＡ２において、ＣＰＵ２１は、第１及び第２補正係数α１Ａ（＝α１０）及びα２Ａ（＝α２０）にそれぞれ任意の増大値Δα１及びΔα２（増大値Δα１及びΔα２は毎回一定値でも良いし、又は、その度毎に異なる値であっても良い）を加算することで、第１及び第２補正係数α１Ａ及びα２Ａを徐々にながら増大させる。そして、ＣＰＵ２１は、増大後の第１及び第２補正係数α１Ａ＋Δα１、α２Ａ＋Δα２をそれぞれ新たな第１及び第２補正係数α１Ａ及びα２Ａに設定し、これらの新たな第１及び第２補正係数α１Ａ及びα２Ａを用いて、再度、変形例３において既述したステップＳ４Ｂを行って制限補正テーブルデータを算出し、当該制限補正テーブルデータを変換テーブルデータ（第２制御信号ＶＣＴ２）として各色のガンマ補正回路１３−１５に送信する。
【００９０】
そして、ＣＰＵ２１は、この様な処理を繰り返して第１及び第２補正係数を徐々に増大させて変換テーブルデータを徐々に増大化させる方向で更新して行き、ステップＳ４ＡＡ３において、増大後の第１及び第２補正係数α１Ａ＋Δα１、α２Ａ＋Δα２が経過時間ｔＡに対応する補正係数テーブルデータより読み出した第１及び第２補正係数α１、α２の値に最終的に到達したのを検知した時点で、それ以後は第１及び第２補正係数の増大化処理を止めると共に、最終的な第１及び第２補正係数α１、α２の本来値を用いて、変形例３において既述したステップＳ４Ｂを行って本来あるべき制限補正テーブルデータを算出し、当該制限補正テーブルデータを時刻ｔＡにおける本来の変換テーブルデータ（第２制御信号ＶＣＴ２）として各色のガンマ補正回路１３−１５に送信する。
【００９１】
以上の処理を具体的な数値を用いて、より具体的に以下に例示記載する。一例として、Ｒ（赤色）の第１補正係数α１（＝１）に焦点を当てて記載する。即ち、ＣＰＵ２１は、ある補正期間の最初の段階においては、図７の補正データに補正係数０．２を乗じて得られる変換データを各色のガンマ補正回路１３，１４，１５に送信する。その後、予め定められたある時間が経過したのをＣＰＵ２１が検知した上で、ＣＰＵ２１は、補正係数を０．２から０．５へと少しばかり増大させて、補正データに増大後の新補正係数０．５を乗じて、得られた変換データを再び各色のガンマ補正回路１３，１４，１５に送信する。その後、更にある時間が経過したのを検知したＣＰＵ２１は、補正係数の値を０．５から最終的な値である１に増大させた上で、補正データに本来の補正係数１を乗じ、その結果得られた変換データを再度各ガンマ補正回路１３，１４，１５に送信する。それ以後は、次の補正期間が到来するまでは、ＣＰＵ２１は変換テーブルデータを更新することはない。
【００９２】
この様に、本変形例においては、徐々に、ガンマ補正回路１３，１４，１５に送るべき変換データを増大させていく。
【００９３】
以上の構成により、ガンマ補正回路の補正により急激にホワイトバランスが変化する自体を未然に防止することが可能となり、良好なホワイトバランスを実現することが出来る。換言すれば、求めた補正量の設定を一度に行うのではなく、ある定期的な時間をかけて徐々に補正量を大きくして行き、変換データを最終的に求めた補正量に設定するため、ゆっくりと補正が働き、違和感のない良好なホワイトバランスを簡易に得ることが出来る。
【００９４】
（実施の形態２）
本実施の形態は、実施の形態１を改良するものであり、ホワイトバランスのみならず、輝度をも適正化することを目的としている。
【００９５】
即ち、プラズマディスプレイ装置が工場出荷時以後ある時間使用されているときには、経年変化により、工場出荷時のそれよりも、Ｒ（赤）、Ｇ（緑）、及びＢ（青）各色の明るさが暗くなっている。これによって、工場出荷後のプラズマディスプレイ装置における輝度とホワイトバランスとは、共に工場出荷時の輝度とホワイトバランスとよりも悪くなっている。
【００９６】
そこで、本実施の形態では、ＣＰＵ２１が工場出荷時に調整済みの各色の明るさデータを予め記憶しておき、工場出荷後のある補正期間において、そのときに第３画像より測定・検出されたＲ（赤）、Ｇ（緑）、及びＢ（青）各色の明るさデータがそれぞれ工場出荷時に調整済みの各色の明るさデータに等しくなる様に、ガンマ補正回路に印加すべき変換曲線データ（ガンマ補正回路の入力信号と出力信号の変換テーブル）を、ＣＰＵ２１において生成する。この様に、本実施の形態と実施の形態１との相違点は専らＣＰＵ２１の動作・機能にあるので、本実施の形態においても、図３の回路図を援用する。
【００９７】
本実施の形態の特徴を一般化して述べれば、次の通りである。即ち、ＣＰＵ２１のガンマ補正制御部は、第１画像のホワイトバランス及び輝度の調整が完了している工場出荷時における、第２駆動信号Ｖ１９Ｒ，Ｖ１９Ｇ，Ｖ１９Ｂ（従って第１駆動信号Ｖ２０Ｒ，Ｖ２０Ｇ，Ｖ２０Ｂ）に対する３原色それぞれの明るさを与える「工場出荷時テーブルデータ」（後述する図１３中の太実線に相当）を予め記憶部内に保有している。その上で、ＣＰＵ２１のガンマ補正制御部は、工場出荷時テーブルデータ、レベルデータ（後述する図１３の入力信号Ｋ１，Ｋ２，Ｋ３）及び被検出３原色明るさ信号Ｖ５Ｒ，Ｖ５Ｇ，Ｖ５Ｂに基づいて、補正期間における第３画像（従って第１画像）のホワイトバランス及び輝度がそれぞれ工場出荷時における第３画像（従って第１画像）のホワイトバランス及び輝度に等しくなる様に、変換テーブルデータを生成する。以下、ＣＰＵ２１のガンマ補正制御部としての動作を、図１２のフローチャートにおけるステップＳ３Ａ，Ｓ４Ａ，Ｓ５に則して、詳述する。
【００９８】
図１２のステップＳ３Ａにおいて、ＣＰＵ２１は、▲１▼各テストパターンＫ１，Ｋ２，Ｋ３における光センサ５の検出レベルＶ５Ｒ，Ｖ５Ｇ，Ｖ５Ｂと、▲２▼レベルデータ（後述する図１３の入力信号Ｋ１，Ｋ２，Ｋ３）とに基づいて、図６と同様な図１３に示す、Ｒ（赤）、Ｇ（緑）、及びＢ（青）各色の近似曲線を与えるデータを生成する。図１３より理解される様に、太実線で表示されている工場出荷時の明るさ（光量）と比較すると、測定用表示部３の第３画像、従って画像表示部１における第１画像のＢ（青）が３原色の内で最も暗くなっており、そのため、経時劣化を受けたＢ（青）の明るさを工場出荷時の明るさにまで回復させるには、３原色の内で最も大きな電力を投入・消費させる必要性がある（つまり、補正後の入力信号のレベルはより大となる）。尚、本実施の形態においても同様に、記載の便宜から、Ｒ（赤）、Ｇ（緑）、及びＢ（青）各色の明るさが互いに等しいレベルにあるときに（明るさの比率が１：１：１）、ホワイトバランスが良好な状態にあるものとしている。
【００９９】
次に、図１２のステップＳ４Ａにおいて、ＣＰＵ２１は、▲１▼図１３における、Ｒ（赤）、Ｇ（緑）、及びＢ（青）各色の近似曲線データと、▲２▼図１３において太実線で表示される工場出荷時テーブルデータとの比較処理により、工場出荷時の明るさを実現し得る各色の入力信号をそれぞれ求めて、図１４に示す変換曲線テーブルを作成する。尚、図１４には、参考として、図１３の太実線の工場出荷時テーブルデータ自体に対する変換直線を太実線として表示している。そして、ＣＰＵ２１は、作成した各色の変換テーブルデータを第２制御信号ＶＣＴ２として各色のガンマ補正回路１３，１４，１５に送信する（ステップＳ５）。
【０１００】
各色のガンマ変換回路１３，１４，１５は、変換テーブルデータＶＣＴ２を受け取り、以後その変換データに従って、入力信号から出力信号への変換を行う。その結果、工場出荷後の使用時点におけるＲ（赤）、Ｇ（緑）、及びＢ（青）各色の輝度と、ホワイトバランスとが、それぞれ、工場出荷時における各色の輝度と、ホワイトバランスとに合致した良好な画像表示が、画像表示部１において得られる。
【０１０１】
（変形例５）
本変形例は、実施の形態２に変形例１の改良技術を適用したものであり、従って、変形例１の効果を実施の形態２の技術にも付加することを、その目的としている。本変形例においても、既述の図３を援用することとして、先ず、本変形例の特徴点を一般化して記載すれば、次の通りである。
【０１０２】
ＣＰＵ２１のガンマ補正制御部は、（ａ）レベルデータ（図１３及び図１４の入力信号Ｋ１，Ｋ２，Ｋ３）及び被検出３原色明るさ信号Ｖ５Ｒ，Ｖ５Ｇ，Ｖ５Ｂに基づいて、３原色それぞれに関する、第２駆動信号Ｖ１９Ｒ，Ｖ１９Ｇ，Ｖ１９Ｂと第３画像における明るさとの関係を示す図１３の近似曲線データを生成した上で、（ｂ）補正期間における第１画像のホワイトバランス及び輝度をそれぞれ工場出荷時における第１画像のホワイトバランス及び輝度に等しくするために必要な、３原色の第１色（例えばＲ）、第２色（例えばＧ）及び第３色（例えばＢ）に関する第２駆動信号、従って第１駆動信号Ｖ２０Ｒ，Ｖ２０Ｇ，Ｖ２０Ｂの第１、第２及び第３レベル（例えば、図１３の例では、簡単化のために第１−第３レベルは互いに等しい値であると設定されており、それらは共に入力信号Ｋ３である）に対する第１、第２及び第３補正レベル（例えば、図１３の例では、出力信号Ｋ３Ｒ，Ｋ３Ｇ，Ｋ３Ｂ）を与える暫定的変換テーブルデータを、工場出荷時テーブルデータ及び近似曲線データに基づいて生成する。
【０１０３】
（ｃ）更に、ＣＰＵ２１のガンマ補正制御部は、▲１▼第１色（Ｒ）に関しては、工場出荷時における第１駆動信号Ｖ２０Ｒの第１レベル（例えば図１４のＫ３）と第１補正レベル（例えば図１４のＫ３Ｒ）とで規定され且つ工場出荷時における第１レベル及び第１補正レベルを除く範囲内のレベルを、工場出荷時における第１レベル（例えば図１４のＫ３）に対する、第１駆動信号の第１制限補正レベルとして与える。又、ガンマ補正制御部は、▲２▼第２色（Ｇ）に関しては、工場出荷時における第１駆動信号の第２レベル（例えば図１４のＫ３）と第２補正レベル（例えば図１４のＫ３Ｇ）とで規定され且つ工場出荷時における第２レベル及び第２補正レベルを除く範囲内のレベルを、工場出荷時における第２レベル（例えば図１４のＫ３）に対する、第１駆動信号の第２制限補正レベルとして与える。更に、ガンマ補正制御部は、▲３▼第３色（Ｂ）に関しては、工場出荷時における第１駆動信号の第３レベル（例えば図１４のＫ３）と第３補正レベル（例えば図１４のＫ３Ｂ）とで規定され且つ工場出荷時における第３レベル及び第３補正レベルを除く範囲内のレベルを、工場出荷時における第３レベル（例えば図１４のＫ３）に対する、第１駆動信号の第３制限補正レベルとして与える。そして、ガンマ補正制御部は、少なくともこれらの第１−第３制限補正レベルに基づいて、制限補正テーブルデータを生成し、その上で、制限補正テーブルデータに基づき、変換テーブルデータを決定する（その際、変形例１の修正例を適用しても良い）。
【０１０４】
以下、ＣＰＵ２１の動作・機能を示す図１５のフローチャートに従って、本変形例をより具体的に記載する。但し、図１５が既述の図８と相違する点を中心に記載する。
【０１０５】
図１５のステップＳ４１Ａにおいて、ＣＰＵ２１は、図１３の太実線で表示される工場出荷時テーブルデータと図１３の各色の近似曲線データとの比較処理により、図１４に示す各色の変換直線データを暫定的変換テーブルデータとして生成する。
【０１０６】
その上で、ステップＳ４２Ａにおいて、ＣＰＵ２１は、図８のステップＳ４２と同様の処理を、各色Ｒ（赤）、Ｇ（緑）及びＢ（青）に対して施し、制限補正テーブルデータを生成する。その結果、例えばＢ（青）に対する補正制限においては、Ｂ（青）色の制限補正データが与える変換直線は、図１４の破線で表示されている直線上の位置データと、その位置に対応する太い実線で表示されている直線上の位置データとの中間値データで以って表示される直線となる。他の２色の補正制限においても、同様である。
【０１０７】
以上より、本変形例によれば、外乱等の誤動作では悪化しない良好な輝度及びホワイトバランスを有する第１画像を、画像表示部１上に表示することが出来る。
【０１０８】
（変形例６）
本変形例は、実施の形態２に変形例２の改良技術を適用したものであり、従って、変形例２の効果を実施の形態２の技術にも付加することを、その目的としている。本変形例においても、既述の図３を援用することとして、先ず、本変形例の特徴点、即ち、第１−第３色の第１−第３補正係数に基づいて変換曲線データを制限すると言う着想を、実際に行う処理に基づいて一般的に記載すれば、次の通りである。
【０１０９】
即ち、ＣＰＵ２１のガンマ補正制御部は、「経過時間に対する、３原色の第１、第２及び第３色に関する第１、第２及び第３補正係数を与える補正係数テーブルデータ」を記憶する記憶部を更に有しており、これらの補正係数テーブルデータは、変形例２と同様に、測定系の軽時変化特性に基づき定められており、しかも、記第１、第２及び第３補正係数は何れも０以上且つ１以下の範囲内の値である。
【０１１０】
そして、ＣＰＵ２１のガンマ補正制御部は、（ａ）３原色の第１、第２及び第３色に対する第１、第２及び第３補正レベルを与える暫定的変換テーブルデータを、工場出荷時テーブルデータ及び近似曲線データに基づいて生成した上で、（ｂ）タイマの計測結果に応じて補正期間の開始時に対応する現経過時間を求め、当該現経過時間における第１、第２及び第３補正係数の値を補正係数テーブルデータより読み取った上で、これらの補正係数を用いて第１、第２及び第３補正レベルに対して以下の補正制限処理（ｃ）を実行する。
【０１１１】
即ち、ＣＰＵ２１のガンマ補正制御部は、▲１▼第１色（例えばＲ）に関しては、（１−第１補正係数）×（工場出荷時における第１駆動信号の第１レベル）＋（第１補正係数）×（第１駆動信号の第１補正レベル）の関係式で与えられるレベルを、工場出荷時における第１駆動信号の第１レベルに対する、第１駆動信号の第１制限補正レベルとして与える。又、ガンマ補正制御部は、▲２▼第２色（例えばＧ）に関しては、（１−第２補正係数）×（工場出荷時における第１駆動信号の第２レベル）＋（第２補正係数）×（第１駆動信号の第２補正レベル）の関係式で与えられるレベルを、工場出荷時における第１駆動信号の第２レベルに対する、第１駆動信号の第２制限補正レベルとして与えると共に、▲３▼第３色（例えばＢ）に関しては、（１−第３補正係数）×（工場出荷時における第１駆動信号の第３レベル）＋（第３補正係数）×（第１駆動信号の第３補正レベル）の関係式で与えられるレベルを、工場出荷時における第１駆動信号の第３レベルに対する、第１駆動信号の第３制限補正レベルとして与える。そして、ＣＰＵ２１のガンマ補正制御部は、これらの制限補正レベルを用いて、制限された変換曲線を与える制限補正テーブルデータを生成し、この制限補正テーブルデータに基づき、変換テーブルデータを決定する。
【０１１２】
ここで、図１６は、本変形例におけるＣＰＵ２１（ガンマ補正制御部）の上述の動作を図１３及び図１４のケースに則して示すフローチャートであり、図９に対応するものである。
【０１１３】
以上の通り、本変形例においては、読み取った現使用経過時間に対応する第１−第３補正係数α１、α２、α３を図１４の暫定的な変換曲線に操作することで補正量を適切に制限して、実際に補正を行うための変換曲線（変換テーブルデータ）を生成している。このため、本変形例によれば、ＣＰＵ２１は、測定系の経時変化によって測定値精度が経時的に変動する場合においても、実施の形態２と同様に、良好な輝度及び良好なホワイトバランスを有する第１画像を画像表示部１上に実現することが出来る。
【０１１４】
（変形例７）
本変形例は、実施の形態２に変形例３の改良技術（定期的に補正を実行する点）を適用したものであり、従って、変形例３の効果を実施の形態２の技術にも付加することを、その目的としている。本変形例においても、既述の図３を援用する。
【０１１５】
図１７は、図１０に対応するフローチャートであり、本変形例におけるＣＰＵ２１（ガンマ補正制御部）の動作を示している。図１７に示す動作においては、補正係数が３原色の各色毎に存在することに対応する処理が図１０に示す動作に対して新たに付け加わるだけであり、基本的な考え方に変わりはないので、図１７の動作の記載を割愛する。
【０１１６】
本変形例によれば、補正量の設定をある定期的な時間毎に行うため、常時回路を動作させる必要がないため回路動作を簡単に出来ると共に、ＣＰＵ２１がその内部で持つ補正係数テーブルも簡単化することが出来、その結果、測定系の経時変化を考慮した上での、良好な輝度及び良好なホワイトバランスを共に有する第１画像を画像表示部１上に簡易に表示することが可能となる。
【０１１７】
（変形例８）
本変形例は、実施の形態２に変形例４の改良技術（定期的補正であって、ある補正期間と次の補正期間との間において、徐々に補正係数を本来の係数値に向けて増大させる点）を適用したものであり、従って、変形例４の効果を実施の形態２の技術においても実現可能とすることを、その目的としている。本変形例においても、既述の図３を援用する。
【０１１８】
ここで、図１８は、図１１に対応するフローチャートであり、本変形例におけるＣＰＵ２１（ガンマ補正制御部）の動作を示している。図１８に示す動作においては、補正係数が３原色の各色毎に存在することに対応する処理が図１１に示す動作に対して新たに付け加わるだけであり、基本的な考え方に変わりはないので、図１８の動作の記載を割愛する。
【０１１９】
本変形例によれば、ガンマ補正回路の補正により急激に輝度及びホワイトバランスが変化する自体を未然に防止することが可能となり、良好な輝度及び良好なホワイトバランスを実現することが出来る。換言すれば、求めた補正量の設定を一度に行うのではなく、ある定期的な時間をかけて徐々に補正量を大きくして行き、変換データを最終的に求めた補正量に設定するため、ゆっくりと補正が働き、違和感のない良好な輝度及び良好なホワイトバランスを簡易に得ることが出来る。
【０１２０】
（その他の変形例）
１）　実施の形態１、２や各変形例１−８において既述した光センサ５による明るさ測定に関して、１度の測定で測定結果Ｖ５Ｒ，Ｖ５Ｇ，Ｖ５Ｂを設定するのではなくて、光センサ５が何度かの明るさ測定をして、例えばそれらの測定値の平均値を採ることにより、測定値データＶ５Ｒ，Ｖ５Ｇ，Ｖ５Ｂを導出することとしても良く、この場合には、より精度の良い明るさ測定が可能となる。
２）　実施の形態１、２や各変形例１−８はプラズマディスプレイ装置について記載しているが、同様に、自発光素子を用いたＣＲＴディスプレイ、無機・有機ＥＬディスプレイ、その他の表示カラーディスプレイ装置についても、本発明の主題を適用することが可能であり、何れの場合においても、良好なホワイトバランス、あるいは、良好な輝度及びホワイトバランスを、実現することが出来る。
【０１２１】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【０１２２】
【発明の効果】
この発明に係るカラーディスプレイ装置は、以下に示す効果を奏する。即ち、通常動作期間においては、測定用表示部において、画像表示部で表示すべき本来の第１画像の平均的明るさを有する第２画像を表示しているので、通常動作期間における画像表示部の表示特性の経時変化を測定用表示部の表示特性の経時変化にほぼ等しく反映させることが出来、その様な条件下において、次の補正期間において測定した測定用表示部の明るさの検出データは、ほぼ同一期間分の経時変化を受けた画像表示部における第１画像の明るさであるとみなすことが出来る。特に補正期間における測定期間が短い程、この同一性擬制の観点は顕著となる。そのため、本装置においては、実際の表示画面の劣化状況を正確に反映させつつ、測定した明るさデータに応じて、表示すべき本来の画像のホワイトバランスを精度良く補正することが可能となり、良好なホワイトバランスを簡易に得ることが出来る。
【図面の簡単な説明】
【図１】この発明の実施の形態１に係るプラズマディスプレイ装置のプラズマディスプレイパネルを示す平面図である。
【図２】この発明の実施の形態１に係るプラズマディスプレイ装置を示す図である。
【図３】この発明の実施の形態１に係るプラズマディスプレイ装置を示すブロック図である。
【図４】この発明の実施の形態１の平均の明るさ回路のＧ出力信号を示す図である。
【図５】この発明の実施の形態１におけるＣＰＵの動作を示すフローチャートである。
【図６】この発明の実施の形態１における測定用表示部の入力信号と明るさとの特性を与える近似曲線を示す図である。
【図７】この発明の実施の形態１における入出力特性（変換曲線）を示す図である。
【図８】この発明の変形例１におけるＣＰＵの動作を示すフローチャートである。
【図９】この発明の変形例２におけるＣＰＵの動作を示すフローチャートである。
【図１０】この発明の変形例３におけるＣＰＵの動作を示すフローチャートである。
【図１１】この発明の変形例４におけるＣＰＵの動作を示すフローチャートである。
【図１２】この発明の実施の形態２におけるＣＰＵの動作を示すフローチャートである。
【図１３】この発明の実施の形態２における測定用表示部の入力信号と明るさとの特性を与える近似曲線を示す図である。
【図１４】この発明の実施の形態２における変換曲線を示す図である。
【図１５】この発明の変形例５におけるＣＰＵの動作を示すフローチャートである。
【図１６】この発明の変形例６におけるＣＰＵの動作を示すフローチャートである。
【図１７】この発明の変形例７におけるＣＰＵの動作を示すフローチャートである。
【図１８】この発明の変形例８におけるＣＰＵの動作を示すフローチャートである。
【符号の説明】
１　画像表示部、２　表示パネル周辺部、３　測定用表示部、４　表示パネル、５　光センサ、６　遮光カバー、１０　Ｒ信号入力端子、１１　Ｇ信号入力端子、１２　Ｂ信号入力端子、１３　Ｒガンマ補正回路、１４　Ｇガンマ補正回路、１５　Ｂガンマ補正回路、１６　テストパターン発生回路、１７　平均の明るさ生成回路、１８　切換回路、１９　測定用表示部駆動回路、２０　画像表示部駆動回路、２１　ＣＰＵ。
【図１】
2004146936.tif 000003
【図２】
2004146936.tif 000004
【図３】
2004146936.tif 000005
【図４】
2004146936.tif 000006
【図５】
2004146936.tif 000007
【図６】
2004146936.tif 000008
【図７】
2004146936.tif 000009
【図８】
2004146936.tif 000010
【図９】
2004146936.tif 000011
【図１０】
2004146936.tif 000012
【図１１】
2004146936.tif 000013
【図１２】
2004146936.tif 000014
【図１３】
2004146936.tif 000015
【図１４】
2004146936.tif 000016
【図１５】
2004146936.tif 000017
【図１６】
2004146936.tif 000018
【図１７】
2004146936.tif 000019
【図１８】
2004146936.tif 000020